(57)【特許請求の範囲】
【請求項１】
組織を手術するための装置であって、前記装置が、
（ａ）本体と、
（ｂ）前記本体から遠位に延在するシャフトアセンブリと、
（ｃ）前記シャフトアセンブリの遠位端に配設されている超音波ブレードと、
（ｄ）音響アセンブリであって、
（ｉ）前記ブレードと連結される音響導波管と、
（ｉｉ）圧電変換素子であって、内径面及び外径面を画定する、圧電変換素子と、
（ｉｉｉ）前記圧電変換素子を、前記音響導波管に対して固定するように構成されている、締結具と、
（ｉｖ）前記締結具と前記圧電変換素子の前記内径面との間に電気的導通をもたらすように構成されている、連結部材と、を含む、音響アセンブリと、を含む、装置。
【請求項２】
前記圧電変換素子が、細長いシリンダー形状を有する、請求項１に記載の装置。
【請求項３】
前記圧電変換素子の前記内径面の少なくとも一部が、導電性コーティングを含む、請求項１に記載の装置。
【請求項４】
前記締結具に固定されているキャップを更に含み、前記キャップが電源と電気的に連通しており、前記キャップが、前記締結具と前記電源との間の電気的導通をもたらすように構成されている、請求項１に記載の装置。
【請求項５】
前記締結具が、前記キャップに対して回転可能である、請求項４に記載の装置。
【請求項６】
前記連結部材が弾性的に付勢されて前記圧電変換素子の前記内径面を押している、請求項１に記載の装置。
【請求項７】
前記連結部材が、第１アームセットと、第２アームセットと、を含み、前記第１アームセットが、前記圧電変換素子の前記内径面を弾性的に押し、前記第２アームセットが、前記締結具を弾性的に押している、請求項６に記載の装置。
【請求項８】
前記連結部材が、ハブ部材と、前記ハブ部材から延在するアームセットと、を含み、前記ハブ部材が前記締結具に固定されており、アームが弾性的に外向きに付勢されて前記圧電変換素子の前記内径面を押している、請求項６に記載の装置。
【請求項９】
前記アームが、それぞれのリビングヒンジにおいて前記ハブ部材から近位に延在している、請求項８に記載の装置。
【請求項１０】
前記アームが弾性的に付勢されて平坦な形状を取り、このとき前記アームが、前記ハブ部材と同じ面に沿って延在している、請求項８に記載の装置。
【請求項１１】
前記連結部材が、前記圧電変換素子の前記内径面に逆らって広がるように弾性的に付勢されている、丸められたシートを含む、請求項６に記載の装置。
【請求項１２】
前記連結部材がコイルバネを含む、請求項６に記載の装置。
【請求項１３】
前記コイルバネが、前記圧電変換素子によって画定される長手方向軸線に沿って延在し、前記圧電変換素子によって画定される前記長手方向軸線に沿って延在可能である、請求項１２に記載の装置。
【請求項１４】
前記コイルバネが、前記圧電変換素子によって画定される前記長手方向軸線の周りに環状のトロイダル形状を画定するように、前記コイルバネは、前記圧電変換素子によって画定される前記長手方向軸線の周りに延在している、請求項１３に記載の装置。
【請求項１５】
前記締結具が、前記連結部材を変形させて、前記圧電変換素子の前記内径面と係合させるように動作可能である、請求項１に記載の装置。
【請求項１６】
前記連結部材が、前記締結具によって前記連結部材にかけられる長手方向圧縮に応じて、外向きに座屈するように構成されている座屈特徴部を含む、請求項１５に記載の装置。
【請求項１７】
前記連結部材が、前記締結具と前記圧電変換素子の前記内径面との間に画定される間隙を充填する充填材料を含む、請求項１に記載の装置。
【請求項１８】
前記締結具がボルトを含む、請求項１に記載の装置。
【請求項１９】
組織を手術するための装置であって、前記装置が、
（ａ）本体と、
（ｂ）前記本体から遠位に延在するシャフトアセンブリと、
（ｃ）前記シャフトアセンブリの遠位端に配設されている超音波ブレードと、
（ｄ）音響アセンブリであって、
（ｉ）前記ブレードと連結される音響導波管と、
（ｉｉ）圧電変換素子であって、内径面及び外径面を画定する、圧電変換素子と、
（ｉｉｉ）前記圧電変換素子を、前記音響導波管に対して固定するように構成されている、締結具と、
（ｉｖ）前記締結具と前記圧電変換素子の前記内径面との間に電気的導通をもたらすように構成されている、連結部材と、を含み、前記締結具が、前記連結部材を変形させることによって、前記連結部材の一部を外向きに駆動して、前記圧電変換素子の前記内径面と係合させるように構成されている、音響アセンブリと、を含む、装置。
【発明の詳細な説明】
【背景技術】
【０００１】
組織を（例えば、組織細胞内のタンパク質を変性させることにより）切断及び又は封着するために超音波周波で振動するブレード要素を有するエンドエフェクタは、様々な外科用器具に含まれている。これらの器具は、電力を超音波振動に変換する圧電素子を含んでおり、それらの振動は音響導波管に沿ってブレード要素に伝達される。切断及び凝固の精度は、外科医の技術、並びに電力レベル、ブレードエッジ角度、組織引張、及びブレード圧力を調節することによって制御され得る。
【０００２】
超音波外科用器具の例としては、ＨＡＲＭＯＮＩＣ  ＡＣＥ（登録商標）Ｕｌｔｒａｓｏｎｉｃ  Ｓｈｅａｒｓ、ＨＡＲＭＯＮＩＣ  ＷＡＶＥ（登録商標）Ｕｌｔｒａｓｏｎｉｃ  Ｓｈｅａｒｓ、ＨＡＲＭＯＮＩＣ  ＦＯＣＵＳ（登録商標）Ｕｌｔｒａｓｏｎｉｃ  Ｓｈｅａｒｓ、及びＨＡＲＭＯＮＩＣ  ＳＹＮＥＲＧＹ（登録商標）Ｕｌｔｒａｓｏｎｉｃ  Ｂｌａｄｅｓが挙げられ、これらはいずれもＥｔｈｉｃｏｎ  Ｅｎｄｏ−Ｓｕｒｇｅｒｙ，Ｉｎｃ．（オハイオ州Ｃｉｎｃｉｎｎａｔｉ）製である。かかる装置及び関連する概念の更なる例は、その開示内容が参照により本明細書に組み込まれる、１９９４年６月２１日発行の「Ｃｌａｍｐ  Ｃｏａｇｕｌａｔｏｒ／Ｃｕｔｔｉｎｇ  Ｓｙｓｔｅｍ  ｆｏｒ  Ｕｌｔｒａｓｏｎｉｃ  Ｓｕｒｇｉｃａｌ  Ｉｎｓｔｒｕｍｅｎｔｓ」という名称の米国特許第５，３２２，０５５号、その開示内容が参照により本明細書に組み込まれる、１９９９年２月２３日発行の「Ｕｌｔｒａｓｏｎｉｃ  Ｃｌａｍｐ  Ｃｏａｇｕｌａｔｏｒ  Ａｐｐａｒａｔｕｓ  Ｈａｖｉｎｇ  Ｉｍｐｒｏｖｅｄ  Ｃｌａｍｐ  Ｍｅｃｈａｎｉｓｍ」という名称の同第５，８７３，８７３号、その開示内容が参照により本明細書に組み込まれる、１９９７年１０月１０日出願の「Ｕｌｔｒａｓｏｎｉｃ  Ｃｌａｍｐ  Ｃｏａｇｕｌａｔｏｒ  Ａｐｐａｒａｔｕｓ  Ｈａｖｉｎｇ  Ｉｍｐｒｏｖｅｄ  Ｃｌａｍｐ  Ａｒｍ  Ｐｉｖｏｔ  Ｍｏｕｎｔ」という名称の同第５，９８０，５１０号、その開示内容が参照により本明細書に組み込まれる、２００１年１２月４日発行の「Ｂｌａｄｅｓ  ｗｉｔｈ  Ｆｕｎｃｔｉｏｎａｌ  Ｂａｌａｎｃｅ  Ａｓｙｍｍｅｔｒｉｅｓ  ｆｏｒ  ｕｓｅ  ｗｉｔｈ  Ｕｌｔｒａｓｏｎｉｃ  Ｓｕｒｇｉｃａｌ  Ｉｎｓｔｒｕｍｅｎｔｓ」という名称の同第６，３２５，８１１号、その開示内容が参照により本明細書に組み込まれる、２００４年８月１０日発行の「Ｂｌａｄｅｓ  ｗｉｔｈ  Ｆｕｎｃｔｉｏｎａｌ  Ｂａｌａｎｃｅ  Ａｓｙｍｍｅｔｒｉｅｓ  ｆｏｒ  Ｕｓｅ  ｗｉｔｈ  Ｕｌｔｒａｓｏｎｉｃ  Ｓｕｒｇｉｃａｌ  Ｉｎｓｔｒｕｍｅｎｔｓ」という名称の同第６，７７３，４４４号、及びその開示内容が参照により本明細書に組み込まれる、２００４年８月３１日発行の「Ｒｏｂｏｔｉｃ  Ｓｕｒｇｉｃａｌ  Ｔｏｏｌ  ｗｉｔｈ  Ｕｌｔｒａｓｏｕｎｄ  Ｃａｕｔｅｒｉｚｉｎｇ  ａｎｄ  Ｃｕｔｔｉｎｇ  Ｉｎｓｔｒｕｍｅｎｔ」という名称の同第６，７８３，５２４号に開示されている。
【０００３】
超音波外科用器具のなお更なる例は、その開示内容が参照により本明細書に組み込まれる、２００６年４月１３日公開の「Ｔｉｓｓｕｅ  Ｐａｄ  ｆｏｒ  Ｕｓｅ  ｗｉｔｈ  ａｎ  Ｕｌｔｒａｓｏｎｉｃ  Ｓｕｒｇｉｃａｌ  Ｉｎｓｔｒｕｍｅｎｔ」という名称の米国特許出願公開第２００６／００７９８７４号、その開示内容が参照により本明細書に組み込まれる、２００７年８月１６日公開の「Ｕｌｔｒａｓｏｎｉｃ  Ｄｅｖｉｃｅ  ｆｏｒ  Ｃｕｔｔｉｎｇ  ａｎｄ  Ｃｏａｇｕｌａｔｉｎｇ」という名称の同第２００７／０１９１７１３号、その開示内容が参照により本明細書に組み込まれる、２００７年１２月６日公開の「Ｕｌｔｒａｓｏｎｉｃ  Ｗａｖｅｇｕｉｄｅ  ａｎｄ  Ｂｌａｄｅ」という名称の同第２００７／０２８２３３３号、その開示内容が参照により本明細書に組み込まれる、２００８年８月２１日公開の「Ｕｌｔｒａｓｏｎｉｃ  Ｄｅｖｉｃｅ  ｆｏｒ  Ｃｕｔｔｉｎｇ  ａｎｄ  Ｃｏａｇｕｌａｔｉｎｇ」という名称の同第２００８／０２００９４０号、その開示内容が参照により本明細書に組み込まれる、２００９年４月２３日公開の「Ｅｒｇｏｎｏｍｉｃ  Ｓｕｒｇｉｃａｌ  Ｉｎｓｔｒｕｍｅｎｔｓ」という名称の同第２００９／０１０５７５０号、その開示内容が参照により本明細書に組み込まれる、２０１０年３月１８日公開の「Ｕｌｔｒａｓｏｎｉｃ  Ｄｅｖｉｃｅ  ｆｏｒ  Ｆｉｎｇｅｒｔｉｐ  Ｃｏｎｔｒｏｌ」という名称の同第２０１０／００６９９４０号、及びその開示内容が参照により本明細書に組み込まれる、２０１１年１月２０日公開の「Ｒｏｔａｔｉｎｇ  Ｔｒａｎｓｄｕｃｅｒ  Ｍｏｕｎｔ  ｆｏｒ  Ｕｌｔｒａｓｏｎｉｃ  Ｓｕｒｇｉｃａｌ  Ｉｎｓｔｒｕｍｅｎｔｓ」という名称の同第２０１１／００１５６６０号、及びその開示内容が参照により本明細書に組み込まれる、２０１２年２月２日公開の「Ｕｌｔｒａｓｏｎｉｃ  Ｓｕｒｇｉｃａｌ  Ｉｎｓｔｒｕｍｅｎｔ  Ｂｌａｄｅｓ」という名称の同第２０１２／００２９５４６号に開示されている。
【０００４】
一部の超音波外科用器具は、その開示内容が参照により本明細書に組み込まれる、２０１２年５月１０日公開の「Ｒｅｃｈａｒｇｅ  Ｓｙｓｔｅｍ  ｆｏｒ  Ｍｅｄｉｃａｌ  Ｄｅｖｉｃｅｓ」という名称の米国特許出願公開第２０１２／０１１２６８７号、その開示内容が参照により本明細書に組み込まれる、２０１２年５月１０日公開の「Ｓｕｒｇｉｃａｌ  Ｉｎｓｔｒｕｍｅｎｔ  ｗｉｔｈ  Ｃｈａｒｇｉｎｇ  Ｄｅｖｉｃｅｓ」という名称の同第２０１２／０１１６２６５号、及び／又はその開示内容が参照により本明細書に組み込まれる、２０１０年１１月５日出願の「Ｅｎｅｒｇｙ−Ｂａｓｅｄ  Ｓｕｒｇｉｃａｌ  Ｉｎｓｔｒｕｍｅｎｔｓ」という名称の米国特許仮出願第６１／４１０，６０３号号に開示されているような、コードレストランスデューサを備えてよい。
【０００５】
更に、一部の超音波外科用器具は、関節運動シャフト部分を備えてよい。かかる超音波外科用器具の例は、その開示内容が参照により本明細書に組み込まれる、２０１２年６月２９日出願の「Ｓｕｒｇｉｃａｌ  Ｉｎｓｔｒｕｍｅｎｔｓ  ｗｉｔｈ  Ａｒｔｉｃｕｌａｔｉｎｇ  Ｓｈａｆｔｓ」という名称の米国特許出願第１３／５３８，５８８号、及びその開示内容が参照により本明細書に組み込まれる、２０１２年１０月２２日出願の「Ｆｌｅｘｉｂｌｅ  Ｈａｒｍｏｎｉｃ  Ｗａｖｅｇｕｉｄｅｓ／Ｂｌａｄｅｓ  ｆｏｒ  Ｓｕｒｇｉｃａｌ  Ｉｎｓｔｒｕｍｅｎｔｓ」という名称の米国特許出願第１３／６５７，５５３号に開示されている。
【０００６】
いくつかの手術器具及びシステムが製作され利用されてきたが、本発明者らよりも以前に、添付の特許請求の範囲に記載する本発明を製作又は利用したものは存在しないと考えられる。
【図面の簡単な説明】
【０００７】
本明細書は、本技術を具体的に指摘し、かつ明確にその権利を請求する、特許請求の範囲によって完結するが、本技術は、以下の特定の例の説明を、添付図面と併せ読むことで、より良好に理解されるものと考えられ、図面では、同様の参照符合は、同じ要素を特定する。
【図１】例示の超音波外科用器具の側面図である。
【図２】図１の器具の音響アセンブリの部分側面図を示す。
【図３】図２の線３−３に沿って切り取った図２の音響アセンブリの断面図を示す。
【図４】図２の音響アセンブリの分解側面図を示す。
【図５】図２の音響アセンブリのモノリシック圧電変換素子の斜視図を示す。
【図６】図２の音響アセンブリでの使用に好適な、例示の電極構成を有するモノリシック圧電変換素子の斜視図を示す。
【図７】図６の変換素子を組み込んでいる、例示の音響アセンブリの断面図を示す。
【図８】図２の音響アセンブリでの使用に好適な、別の例示の電極構成を有するモノリシック圧電変換素子の斜視図を示す。
【図９】図８の変換素子を組み込んでいる、例示の音響アセンブリの断面図を示す。
【図１０】図２の音響アセンブリでの使用に好適な、別の例示の電極構成を有するモノリシック圧電変換素子の斜視図を示す。
【図１１】図１０の変換素子を組み込んでいる、例示の音響アセンブリの断面図を示す。
【図１２】例示の導体パッドの斜視図を示す。
【図１３】図１２の導体パッドを組み込んでいる、例示の音響アセンブリの断面図を示す。
【図１４】図１３のアセンブリ中の内部導体パッドの拡大断面図を示す。
【図１５】例示のヘッドクリップ及びボルトアセンブリの分解斜視図を示す。
【図１６】図１５のヘッドクリップ及びボルトアセンブリの部分側面図を示す。
【図１７】平坦で巻き付けられていない形状の、例示の導体を示す。
【図１８】図１７の導体を組み込んでいる、例示の音響アセンブリの断面端面図を示す。
【図１９】変換素子が断面である、図１８のアセンブリの部分斜視図を示す。
【図２０】例示の導体及びボルトアセンブリの分解斜視図を示す。
【図２１】図２０の導体及びボルトアセンブリを組み込んでいる、例示の音響アセンブリの断面側面図を示す。
【図２２】図２１のアセンブリの断面端面図である。
【図２３】例示の導体対及びボルトアセンブリの分解斜視図を示す。
【図２４】図２３の導体及びボルトアセンブリを組み込んでいる、例示の音響アセンブリの断面側面図を示す。
【図２５】図２４のアセンブリの断面端面図である。
【図２６】別の例示の導体及びボルトアセンブリの分解斜視図を示す。
【図２７】図２６の導体及びボルトアセンブリを組み込んでいる、例示の音響アセンブリの断面側面図を示す。
【図２８】図２７のアセンブリの断面端面図である。
【図２９】別の例示の導体の平面図である。
【図３０】図２９の導体を組み込んでいる、例示の音響アセンブリの断面側面図を示す。
【図３１】図３０のアセンブリの断面端面図である。
【図３２】別の例示の音響アセンブリの分解図を示す。
【図３３】図３２のアセンブリの断面側面図である。
【図３４】図３３の線３４−３４に沿って切り取った図３２のアセンブリの断面図を示す。
【図３５Ａ】弾性部材が短縮状態である、例示のホーンを示す。
【図３５Ｂ】弾性部材が伸長状態である、図３５Ａのホーンを示す。
【図３６】図３５Ａのホーン及び弾性部材を組み込んでいる、例示の音響アセンブリの断面側面図を示す。
【図３７】別の例示の音響アセンブリの断面側面図を示す。
【図３８】図３７のアセンブリでの使用に好適な、例示の導体の平面図を示す。
【図３９】別の例示の導体及びボルトアセンブリの斜視図を示す。
【図４０】図３９の導体及びボルトアセンブリを組み込んでいる、例示の音響アセンブリの断面側面図を示す。
【図４１】展開可能なリーフ部を有する例示のホーンの斜視図を示す。
【図４２Ａ】図４１のホーンを組み込んでおり、ボルトが省略されている、例示の音響アセンブリの断面側面図を示す。
【図４２Ｂ】リーフ部を展開するため、ホーンと結合されている先端部がテーパ形状のボルトを有する、図４２Ａのアセンブリの断面側面図を示す。
【図４３】別の例示の導体及びボルトアセンブリの分解斜視図を示す。
【図４４】図４３の導体及びボルトアセンブリを組み込んでいる、例示の音響アセンブリの断面側面図を示す。
【図４５】別の例示の導体及びボルトアセンブリの分解側面図を示す。
【図４３】図４５の導体及びボルトアセンブリを組み込んでいる、例示の音響アセンブリの断面側面図を示す。
【図４７】別の例示の音響アセンブリの断面側面図を示す。
【図４８】別の例示の導体及びボルトアセンブリの側面図を示す。
【図４９】図４９の導体及びボルトアセンブリを組み込んでいる、例示の音響アセンブリの断面側面図を示す。
【図５０】別の例示の導体及びボルトアセンブリの分解斜視図を示す。
【図５１】図５０の導体及びボルトアセンブリを組み込んでいる、例示の音響アセンブリの断面側面図を示す。
【図５２】中空状シャンクを有する例示のナットの側面図を示す。
【図５３】ネジ付きシャンクを有する例示のホーンの側面図を示す。
【図５４】図５２のナット及び図５３のホーンを組み込んでいる、例示の音響アセンブリの断面側面図を示す。
【図５５】別の例示の導体及びボルトアセンブリの分解斜視図を示す。
【図５６】図５５の導体及びボルトアセンブリを組み込んでいる、例示の音響アセンブリの断面側面図を示す。
【図５７】導電性カフが変換素子の周りに配設されている、別の例示の音響アセンブリの部分側面図を示す。
【図５８Ａ】ほどかれた状態の例示の導体アセンブリの斜視図を示す。
【図５８Ｂ】巻かれた状態の図５８Ａの導体アセンブリの斜視図を示す。
【図５９】図５８Ｂの導体アセンブリが変換素子の周りに配設されている、別の例示の音響アセンブリの部分側面図を示す。
【図６０】変換素子に形成された環状溝部と環状溝部から延在している導電性指部とを有する、別の例示の音響アセンブリの部分側面図を示す。
【図６１】溝部に配設されている１組の軸受を有する、図６０の音響アセンブリの部分側面図を示す。
【図６２】軸受の周りに配設されている外部導体を有する、図６１の音響アセンブリの断面側面図を示す。
【図６３】溝部に配設されているコイルバネを有する、図６０の音響アセンブリの部分側面図を示す。
【図６４】コイルバネの周りに配設されている外部導体を有する、図６１の音響アセンブリの断面側面図を示す。
【図６５】例示の外部導体アセンブリの分解斜視図を示す。
【図６６】軸受の周りに配設されている図６５の外部導体アセンブリを有する、図６１の音響アセンブリの断面側面図を示す。
【０００８】
各図面は、いかなる意味においても限定を意図するものではなく、図に必ずしも示していないものを含め、本技術の異なる実施形態を様々な他の方法で実施し得ることが考えられる。本明細書に組み込まれてその一部を成す添付図面は、本技術のいくつかの態様を図示しており、本説明と相まって、本技術の原理を説明する働きをする。しかしながら、本技術が図示される厳密な配置に限定されないことは理解されなければならない。
【発明を実施するための形態】
【０００９】
本技術の特定の実施例に関する以下の説明は、本技術の範囲を限定するために用いられるべきではない。本技術のその他の実施例、特徴、態様、実施形態、及び利点は、例として、本技術を実施するために想到される最良の形態の１つである以下の説明から、当業者には明らかとなろう。認識されるように、本明細書に述べられる技術は、いずれも技術から逸脱することなく、他の異なる明白な態様が可能である。したがって、図面及び説明は、制限的なものではなく、例示的な性質のものとして見なすべきである。
【００１０】
本明細書に述べられる教示、表現、実施形態、実施例などの任意の１つ又は２つ以上のものを、本明細書に述べられる他の教示、表現、実施形態、実施例などの任意の１つ又は２つ以上のものと組み合わせることができる点も更に理解されたい。したがって、以下に述べられる教示、表現、実施形態、実施例などは、互いに対して分離して考慮されるべきではない。本明細書の教示に照らして、本明細書の教示を組み合わせることができる様々な適当な方法が、当業者には明らかとなろう。かかる改変例及び変形例は、特許請求の範囲内に含まれるものとする。
【００１１】
本開示の明瞭さのために、「近位」及び「遠位」という用語は、外科用器具の人間又は、ロボットの操作者に対して本明細書で定義する。「近位」という用語は、外科用器具の人間又はロボットの操作者により近く、かつ、外科用器具の外科手術用エンドエフェクタから更に離れた要素の位置を指す。「遠位」という用語は、外科用器具の外科手術用エンドエフェクタにより近く、かつ、外科用器具の人間又はロボットの操作者から更に離れた要素の位置を指す。
【００１２】
Ｉ．例示の超音波外科用器具
図１は、例示の超音波外科用器具（１０）を示す。器具（１０）の少なくとも一部は、米国特許第５，３２２，０５５号、同第５，８７３，８７３号、同第５，９８０，５１０号、同第６，３２５，８１１号、同第６，７７３，４４４号、同第６，７８３，５２４号、米国特許出願公開第２００６／００７９８７４号、同第２００７／０１９１７１３号、同第２００７／０２８２３３３号、同第２００８／０２００９４０号、同第２００９／０１０５７５０号、同第２０１０／００６９９４０号、同第２０１１／００１５６６０号、同第２０１２／０１１２６８７号、同第２０１２／０１１６２６５号、米国特許出願第１３／５３８，５８８号、同第１３／６５７，５５３号、及び／又は米国特許仮出願第６１／４１０，６０３号の教示のうち、少なくとも一部に従って構成され、動作可能であってよい。前述の特許、公開、及び出願のそれぞれの開示内容は、参照により本明細書に組み込まれる。その中に記載され、以下により詳細に記載されるように、器具（１０）は、実質的に同時に、組織を切断し、組織（例えば、血管など）を封止又は溶接するように動作可能である。また、器具（１０）がＨＡＲＭＯＮＩＣ  ＡＣＥ（登録商標）Ｕｌｔｒａｓｏｎｉｃ  Ｓｈｅａｒｓ、ＨＡＲＭＯＮＩＣ  ＷＡＶＥ（登録商標）Ｕｌｔｒａｓｏｎｉｃ  Ｓｈｅａｒｓ、ＨＡＲＭＯＮＩＣ  ＦＯＣＵＳ（登録商標）Ｕｌｔｒａｓｏｎｉｃ  Ｓｈｅａｒｓ、及び／又はＨＡＲＭＯＮＩＣ  ＳＹＮＥＲＧＹ（登録商標）Ｕｌｔｒａｓｏｎｉｃ  Ｂｌａｄｅｓとの様々な構造的及び機能的な類似点を有し得ることを理解されたい。更に、器具（１０）は、本明細書で引用され参照されることによって本明細書に組み込まれる他の参考文献のいずれかに教示される装置と様々な構造的かつ機能的類似点を有することがある。
【００１３】
本明細書に引用される参照の教示と、ＨＡＲＭＯＮＩＣ  ＡＣＥ（登録商標）Ｕｌｔｒａｓｏｎｉｃ  Ｓｈｅａｒｓ、ＨＡＲＭＯＮＩＣ  ＷＡＶＥ（登録商標）Ｕｌｔｒａｓｏｎｉｃ  Ｓｈｅａｒｓ、ＨＡＲＭＯＮＩＣ  ＦＯＣＵＳ（登録商標）Ｕｌｔｒａｓｏｎｉｃ  Ｓｈｅａｒｓ、及び／又はＨＡＲＭＯＮＩＣ  ＳＹＮＥＲＧＹ（登録商標）Ｕｌｔｒａｓｏｎｉｃ  Ｂｌａｄｅｓの教示と、器具（１０）に関する以下の教示との間に何らかの重複が存在する範囲で、本明細書の任意の記述を、認められた従来技術と見なす意図はない。本明細書のいくつかの教示は、事実、本明細書に引用した参照及びＨＡＲＭＯＮＩＣ  ＡＣＥ（登録商標）Ｕｌｔｒａｓｏｎｉｃ  Ｓｈｅａｒｓ、ＨＡＲＭＯＮＩＣ  ＷＡＶＥ（登録商標）Ｕｌｔｒａｓｏｎｉｃ  Ｓｈｅａｒｓ、ＨＡＲＭＯＮＩＣ  ＦＯＣＵＳ（登録商標）Ｕｌｔｒａｓｏｎｉｃ  Ｓｈｅａｒｓ、及び／又はＨＡＲＭＯＮＩＣ  ＳＹＮＥＲＧＹ（登録商標）Ｕｌｔｒａｓｏｎｉｃ  Ｂｌａｄｅｓの教示の範囲を超えるであろう。
【００１４】
本実施例の器具（１０）は、ハンドルアセンブリ（２０）と、シャフトアセンブリ（３０）と、エンドエフェクタ（４０）と、を備えている。ハンドルアセンブリ（２０）は、ピストルグリップ（２４）を含む本体ハウジング（２２）を備える。ハンドルアセンブリ（２０）はまた、一対のボタン（２６）と、ピストルグリップ（２４）に向かうように及びそれから離れるように枢動可能な、トリガ（２８）と、を含む。しかしながら、はさみグリップ構成などが挙げられるがこれに限定されない様々な他の好適な構成を使用することができる。エンドエフェクタ（４０）は、超音波ブレード（４２）と、枢動クランプアーム（４４）と、を含む。クランプアーム（４４）は、ピストルグリップ（２４）に向かうトリガ（２８）の枢動に応えて、クランプアーム（４４）が超音波ブレード（４２）に向かって枢動可能であるように、かつ、ピストルグリップ（２４）から離れるトリガ（２８）の枢動に応えて、クランプアーム（４４）が超音波ブレード（４２）から離れるように枢動可能であるように、トリガ（２８）と連結される。本明細書の教示を考慮すれば、クランプアーム（４４）をトリガ（２８）と連結することができる様々な適切な方法が、当業者に明らかであろう。いくつかの変形では、クランプアーム（４４）及び／又はトリガ（２８）を図１に示す開位置に付勢するために、１つ又は２つ以上の弾力的部材を使用する。
【００１５】
超音波トランスデューサアセンブリ（５０）は、ハンドルアセンブリ（２０）の本体（２２）から近位に延在する。トランスデューサアセンブリ（５０）は、以下で更に詳細に説明するように、音響アセンブリ（１００）の一部を囲む側板ハウジング（５２）を含む。この例では、側板ハウジング（５２）は、電気絶縁材料（例えば、プラスチックなど）から形成される。トランスデューサアセンブリ（５０）は、ケーブル（１２）を介して発電機（１４）に連結される。トランスデューサアセンブリ（５０）の音響アセンブリ（１００）は、発電機（１６）から電力を受電し、圧電原理によってその電力を超音波振動に変換する。発電機（１４）は、電源、及びトランスデューサアセンブリ（５０）による超音波振動の生成に特に適したトランスデューサアセンブリ（５０）に電力プロファイルを提供するように構成された制御モジュールを含み得る。一例にすぎないが、発電機（１４）は、Ｅｔｈｉｃｏｎ  Ｅｎｄｏ−Ｓｕｒｇｅｒｙ，Ｉｎｃ．（オハイオ州Ｃｉｎｃｉｎｎａｔｉ）により販売されているＧＥＮ  ３００を備えることができる。追加的に又は代替的に、発電機（１４）は、その開示内容が参照により本明細書に組み込まれる、２０１１年４月１４日公開の「Ｓｕｒｇｉｃａｌ  Ｇｅｎｅｒａｔｏｒ  ｆｏｒ  Ｕｌｔｒａｓｏｎｉｃ  ａｎｄ  Ｅｌｅｃｔｒｏｓｕｒｇｉｃａｌ  Ｄｅｖｉｃｅｓ」という名称の米国公開出願公開第２０１１／００８７２１２号の教示のうち、少なくとも一部に従って構成されてよい。また、発電機（１４）の機能性の少なくとも一部をハンドルアセンブリ（２０）に組み込むことができ、ハンドルアセンブリ（２０）はケーブル（１２）を省略するように更に電池又は他の搭載された電源を含むこともまたできると理解されたい。なお、発電機（１４）が有することができる他の好適な形態、及び発電機（１４）が提供することができる種々の特徴部並びに動作性は、本明細書の教示を考慮すれば、当業者には明らかとなるであろう。
【００１６】
図２〜４は、この例の音響アセンブリ（１００）の近位部分を示す。音響アセンブリ（１００）は、モノリシック圧電変換素子（１１０）と、末端塊部（１２０）と、ボルト（１３０）と、ホーン（１４０）と、音響導波管（１５０）と、を含む。この例では、変換素子（１１０）、末端塊部（１２０）、ボルト（１３０）、及びホーン（１４０）は全て、側板ハウジング（５２）内に含まれていることを理解されたい。導波管（１５０）は、シャフトアセンブリ（３０）を通って遠位に延在し、超音波ブレード（４２）で終端する。いくつかの形態では、音響アセンブリ（１００）の全長を含む、トランスデューサアセンブリ（５０）及びシャフトアセンブリ（３０）は、ハンドルアセンブリ（２０）に対して共に回転可能である。具体的には、図１に示されるノブ（３４）を操作して、トランスデューサアセンブリ（５０）及びシャフトアセンブリ（３０）を回転できる。
【００１７】
図３〜４で最も良くわかるように、ボルト（１３０）は、ホーン（１４０）の近位端において、ネジ付き凹部（１４２）内に相補的に螺入するように構成されている、ネジ付き遠位端（１３２）を有するシャンク（１３１）を含む。ボルト（１３０）はまた、ボルト（１３０）がホーン（１４０）に対して締められると、末端塊部（１２０）及び変換素子（１１０）をホーン（１４０）に向けて圧縮するように構成されている、ヘッド（１３４）も含む。図５で最も良くわかるように、この例の変換素子（１１０）は、変換素子（１１０）が中空の細長いシリンダー形状を有するように、穴部（１１１）を画定する単一の一体型の圧電性材料からなる。したがって、変換素子（１１０）は、遠位面（１１２）と、近位面（１１４）と、内径面（１１６）と、外径面（１１８）と、を含む。端面（１１２、１１４）は、電気的に絶縁されている（例えば、コーティング、フィルム、その他の特徴部などによる）が、面（１１６、１１８）は、導電性である（例えば、金属めっきなどによる）。変換素子（１１０）は、電圧が面（１１６、１１８）に印加されると、電力を超音波振動に変換するように構成されている（例えば、面（１１６）は、アース又は中性経路として機能する）。一例にすぎないが、変換素子（１１０）は、その開示内容が参照により本明細書に組み込まれる、２０１３年１月１８日出願の「Ｕｌｔｒａｓｏｎｉｃ  Ｓｕｒｇｉｃａｌ  Ａｐｐａｒａｔｕｓ  ｗｉｔｈ  Ｓｉｌｉｃｏｎ  Ｗａｖｅｇｕｉｄｅ」という名称の米国特許出願第１３／７４５，３８５号の教示のうち、少なくとも一部に従って構成されてよい。変換素子（１１０）が電力を受電できる方法についての様々な例が、以下で詳述される。変換素子（１１０）によって生じる超音波振動は、ホーン（１４０）を介して、導波管（１５０）に伝達され、最終的にはブレード（４２）に到達する。
【００１８】
この例では、組織による負荷が音響アセンブリに加えられていないとき、好ましい共振周波数ｆｏに合わせて音響アセンブリ（１００）を調整するために、ブレード（４２）の遠位端は、音響アセンブリ（１００）を通じて伝達される共振超音波振動に関連するアンチノードに対応する位置に配置される。音響アセンブリ（１００）が通電されると、ブレード（４２）の遠位端は、例えば、ピーク間で約１０〜５００マイクロメートル、いくつかの場合では、例えば、５５．５ｋＨｚの所定の振動周波数ｆｏにて約２０〜約２００マイクロメートルの範囲で長手方向に移動するように構成される。この例の音響アセンブリ（１００）が作動すると、これらの機械的な振動が導波管（１５０）を通じてブレード（４２）に達し、それにより、共振超音波周波数でブレード（４２）の振動を提供する。したがって、ブレード（４２）とクランプアーム（４４）との間に組織が固定されたとき、ブレード（４２）の超音波振動が、組織の切断と、隣接した組織細胞内のタンパク質の変性とを同時に行い、それにより比較的小さい熱拡散で凝固効果が提供される。一部の変形例では、電流が、また、やはり組織を焼灼させるためにブレード（４２）及びクランプアーム（４４）を介して供給され得る。音響アセンブリ（１００）に関する更なる他の好適な構成は、本明細書の教示を考慮することで当業者には明らかとなるであろう。同様に、本明細書の教示を考慮することで、エンドエフェクタ（４０）の他の好適な構成も、当業者に明らかになるであろう。
【００１９】
いくつかの形態では、シャフトアセンブリ（３０）は、シャフトアセンブリの外側シース（３２）によって画定される長手方向軸線に対して、様々な角度でのエンドエフェクタ（４０）の偏向を可能にする、関節運動部分（図示せず）を含む。導波管（１５０）は、このようなシャフトアセンブリの関節運動部分を通過する可撓性部分を含んでよく、依然として導波管（１５０）を通じて超音波振動を伝達しながらも、導波管（１５０）の屈曲を可能にする。一例にすぎないが、このような関節運動部分及び導波管の変更例は、その開示内容が参照により本明細書に組み込まれる、米国特許出願第１３／５３８，５８８号及び／又は同第１３／６５７，５５３号の教示のうち、少なくとも一部に従って構成されてよい。当然のことながら、いくつかの形態では、シャフトアセンブリ（３０）が単に関節運動部分を欠き得るように、関節運動は任意にすぎない。
【００２０】
ＩＩ．トランスデューサ用の例示の電気的結合特徴部
上記の通り、電圧が面（１１６、１１８）に印加されると、変換素子（１１０）は、電力を超音波振動に変換するように構成されている。以下の例は、変換素子（１１０）の面（１１６、１１８）に電圧を印加するのに使用され得る、様々な特徴部を含む。以下に記載する特徴部は、多くの方法で器具（１０）に容易に組み込まれ得ることを理解されたい。本明細書の教示を考慮することで、変換素子（１１０）の面（１１６、１１８）に電圧を印加するために使用され得る他の好適な特徴部が、当業者に明らかになるであろう。
【００２１】
Ａ．変換素子用の例示の導電性コーティング
図６〜７は、第１電極アセンブリ（２１０）及び第２電極アセンブリ（２２０）を有する、変換素子（１１０）を含むアセンブリ（２００）を示す。第１電極アセンブリ（２１０）は、変換素子（１１０）の外径面（１１８）の周りに位置付けられている。第１電極アセンブリ（２１０）は、端面（１１２、１１４）に到達する前に各端部で終端する。したがって、変換素子（１１０）が末端塊部（１２０）とホーン（１４０）との間に固定されるとき、第１電極アセンブリ（２１０）は、末端塊部（１２０）又はホーン（１４０）に接触しない。一例にすぎないが、第１電極アセンブリ（２１２）は、遠位面（１１２）から約０．５センチメートル（約０．２０インチ）、近位面（１１４）から約０．５センチメートル（約０．２０インチ）で、終端してよい。第２電極アセンブリ（２２０）は、内径面（１１６）の一部に沿って位置付けられるシリンダー状部分（２２２）と、遠位面（１１２）に沿って位置付けられるフランジ部分（２２４）と、を含む。第２電極アセンブリ（１１２）は、近位面（１１４）に到達する前に一方の端部で、及び、外径面（１１８）に到達する前にもう一方の端部で終端する。一例にすぎないが、第２電極アセンブリ（１１２）は、近位面（１１４）から約０．５センチメートル（約０．２０インチ）、外径面（１１８）から約０．５センチメートル（約０．２０インチ）で、終端してよい。いくつかの形態では、第２電極アセンブリ（１１２）は、遠位面（１１２）にも沿って延在することを伴って、又は伴わずに、近位面（１１４）に沿って延在する。この例では、電極アセンブリ（２１０）は、活性電極として機能し、一方電極アセンブリ（２２０）は、アース又は中性極として機能する。当然のことながら、所望により、これらの機能を反対にしてもよい。
【００２２】
電極アセンブリ（２１０、２２０）は、反対の電荷を面（１１６、１１８）に伝達するように構成されている導電材料から形成され、得られた電圧が活性化する変換素子（１１０）によって、上記のように超音波振動が生じる。いくつかの形態では、電極アセンブリ（２１０、２２０）は、ベリリウム銅（ＢｅＣｕ）、黄銅、又は一部のその他銅合金から形成される。本明細書の教示を考慮することで、電極アセンブリ（２１０、２２０）の形成に使用できる様々な他の好適な材料が当業者に明らかとなるであろう。電極アセンブリ（２１０、２２０）を、多くの異なる方法で形成できることも理解されたい。一例にすぎないが、電極アセンブリ（２１０、２２０）を、物理蒸着（ＰＶＤ）法、スパッタコーティング法、又は一部の他の種類の方法によって形成できる。本明細書の教示を考慮することで、電極アセンブリ（２１０、２２０）を形成できるその他の好適な方法が当業者には明らかとなるであろう。更に、電極アセンブリ（２１０、２２０）は、多くの異なる方法で（例えば、電極アセンブリ（２１０、２２０）と発電機（１４）との間に介在する様々な種類の構成要素から）電力を受電できることを理解されたい。変換素子（１１０）の内部及び変換素子（１１０）の外部に電力を伝達し得る方法のいくつかの単なる例示的な例は、以下で更に詳細に説明される。いくつかの形態では、アセンブリ（２００）は、導波管（１５０）によって画定される長手方向軸線の周りを回転でき、その間アセンブリ（２００）は、電極アセンブリ（２１０、２２０）を介して連続電力を受電することを理解されたい。
【００２３】
ボルト（１３０）、ホーン（１４０）、及び導波管（１５０）が導電材料から形成される形態では、これらの構成要素のうち任意のものは、第２電極アセンブリ（２２０）のフランジ部分（２２４）及びシリンダー状部分（２２２）を介して内径面（１１６）と電気的に連結するために、（例えば、発電機（１４）などから）電力を供給する構成要素と接触していてよい。換言すれば、ボルト（１３０）、ホーン（１４０）、導波管（１５０）、及び第２電極アセンブリ（２２０）は全て、ボルト（１３０）、ホーン（１４０）、導波管（１５０）、及び第２電極アセンブリ（２２０）が全て内径面（１１６）と電気的導通をもたらすように、内径面（１１６）と電気的連通していてよい。
【００２４】
Ｂ．変換素子用の導電性タブを有する、例示の導電性コーティング
図８〜９は、第１電極アセンブリ（３１０）及び第２電極アセンブリ（３２０）を有する、変換素子（１１０）を含む別の例示のアセンブリ（３００）を示す。第１電極アセンブリ（３１０）は、内径面（１１６）の一部に沿って延在している第１部分（３１２）と、近位面（１１４）の一部に沿って延在している第２部分（３１４）と、外向きに延在しているタブ（３１６）と、を含む。いくつかの形態では、タブ（３１６）は可撓性である。第２電極アセンブリ（３２０）は、外径面（１１８）の一部に沿って延在している第１部分（３２２）と、遠位面（１１２）の一部に沿って延在している第２部分（３２４）と、外向きに延在しているタブ（３２６）と、を含む。いくつかの形態では、タブ（３２６）は可撓性である。この例では、電極アセンブリ（３１０）は、活性電極として機能し、一方電極アセンブリ（３２０）は、アース又は中性極として機能する。当然のことながら、所望により、これらの機能を反対にしてもよい。
【００２５】
電極アセンブリ（３１０、３２０）は、反対の電荷を面（１１６、１１８）に伝達するように構成されている導電材料から形成され、得られた電圧が活性化する変換素子（１１０）によって、上記のように超音波振動が生じる。いくつかの形態では、電極アセンブリ（３１０、３２０）は、ベリリウム銅（ＢｅＣｕ）、黄銅、又は一部のその他銅合金から形成される。本明細書の教示を考慮することで、電極アセンブリ（３１０、３２０）の形成に使用できる様々な他の好適な材料が当業者に明らかとなるであろう。電極アセンブリ（３１０、３２０）を、多くの異なる方法で形成できることも理解されたい。一例にすぎないが、電極アセンブリ（３１０、２２０）を、物理蒸着（ＰＶＤ）法、スパッタコーティング法、又は一部の他の種類の方法によって形成できる。本明細書の教示を考慮することで、電極アセンブリ（３１０、３２０）を形成できるその他の好適な方法が当業者には明らかとなるであろう。更に、電極アセンブリ（３１０、３２０）は、多くの異なる方法で（例えば、電極アセンブリ（３１０、３２０）と発電機（１４）との間に介在する様々な種類の構成要素から）電力を受電できることを理解されたい。変換素子（１１０）の内部及び変換素子（１１０）の外部に電力を伝達し得る方法のいくつかの単なる例示的な例は、以下で更に詳細に説明される。
【００２６】
ボルト（１３０）、ホーン（１４０）、及び導波管（１５０）が導電材料から形成される形態では、これらの構成要素のうち任意のものは、第１電極アセンブリ（３１０）を介して内径面（１１６）と、又は、第２電極アセンブリ（３２０）を介して外径面（１１８）と、電気的に連結するために、（例えば、発電機（１４）などから）電力を供給する構成要素と接触していてよい。換言すれば、ボルト（１３０）、ホーン（１４０）、導波管（１５０）、及び第１電極アセンブリ（３１０）は全て、ボルト（１３０）、ホーン（１４０）、導波管（１５０）、及び第１電極アセンブリ（３１０）が全て内径面（１１６）と電気的導通をもたらすように、内径面（１１６）と電気的連通していてよい。あるいは、ボルト（１３０）、ホーン（１４０）、導波管（１５０）、及び第２電極アセンブリ（３２０）は全て、ボルト（１３０）、ホーン（１４０）、導波管（１５０）、及び第２電極アセンブリ（３２０）が全て外径面（１１８）と電気的導通をもたらすように、外径面（１１８）と電気的連通していてよい。
【００２７】
図には示されていないが、アセンブリ（３００）はまた、１つ又は２つ以上の電気絶縁体素子も含み得ることを理解されたい。例えば、電極アセンブリ（３１０、３２０）の両方は、末端塊部（１２０）、ボルト（１３０）、及びホーン（１４０）によって形成されるアセンブリに対して、電気的に絶縁されていてよい。電極アセンブリ（３１０、３２０）の一方が、末端塊部（１２０）、ボルト（１３０）、及びホーン（１４０）によって形成されるアセンブリと電気的連通している形態では、別の電極アセンブリ（３１０、３２０）は、末端塊部（１２０）、ボルト（１３０）、及びホーン（１４０）によって形成されるアセンブリから電気的に絶縁されていてよい。一例にすぎないが、電気絶縁体素子は、絶縁コーティング、絶縁ワッシャ、及び／又は様々な他の種類の構成要素を含んでよい。別の単なる例示的な例として、第２電極アセンブリ（３２０）がホーン（１４０）と電気的連通している形態では、第１電極アセンブリ（３１０）は、電気絶縁末端塊部（１２０）及び／又は電気絶縁ボルト（１３０）を用いることによって、ホーン（１４０）から電気的に絶縁されていてよい。本明細書の教示を考慮することで、適切な電気絶縁性をアセンブリ（３００）に提供し得る様々なその他好適な方法が当業者に明らかになるであろう。
【００２８】
Ｃ．変換素子用の導電性シムを有する、例示の導電性コーティング
図１０〜１１は、第１電極アセンブリ（４１０）及び第２電極アセンブリ（４２０）を有する、変換素子（１１０）を含む別の例示のアセンブリ（４００）を示す。第１電極アセンブリ（４１０）は、内径面（１１６）の一部に沿って延在している第１部分（４１２）と、近位面（１１４）の一部に沿って延在している第２部分（４１４）と、外向きに延在している導電性シム（４１６）と、を含む。いくつかの場合では、第１部分（４１２）は、遠位面（１１２）から約０．５センチメートル（約０．２０インチ）で終端する。いくつかの場合では、第２部分（４１４）は、近位面（１１４）の半径方向幅の約１／３に沿って延在する。本明細書の教示を考慮することで、その他好適な寸法が当業者に明らかになるであろう。この例のシム（４１６）は、ボルト（１３０）のシャンク（１３１）をシャンク（１３１）に接触せずに収容する寸法である、開口部（４１８）を画定する。
【００２９】
第２電極アセンブリ（４２０）は、外径面（１１８）の一部に沿って延在している第１部分（４２２）と、遠位面（１１２）の一部に沿って延在している第２部分（４２４）と、外向きに延在している導電性シム（４２６）と、を含む。いくつかの場合では、第２部分（４２４）は、遠位面（１１２）の半径方向幅の約１／３に沿って延在する。いくつかの場合では、第１部分（４２２）は、近位面（１１４）から約０．５センチメートル（約０．２０インチ）で終端する。いくつかの場合では、第２部分（４２４）は、遠位面（１１２）の半径方向幅の約１／３に沿って延在する。本明細書の教示を考慮することで、その他好適な寸法が当業者に明らかになるであろう。この例のシム（４２６）は、ボルト（１３０）のシャンク（１３１）をシャンク（１３１）に接触せずに収容する寸法である、開口部（４２８）を画定する。この例では、電極アセンブリ（４１０）は、活性電極として機能し、一方電極アセンブリ（４２０）は、アース又は中性極として機能する。当然のことながら、所望により、これらの機能を反対にしてもよい。
【００３０】
電極アセンブリ（４１０、４２０）は、反対の電荷を面（１１６、１１８）に伝達するように構成されている導電材料から形成され、得られた電圧が活性化する変換素子（１１０）によって、上記のように超音波振動が生じる。いくつかの形態では、電極アセンブリ（４１０、４２０）は、ベリリウム銅（ＢｅＣｕ）、黄銅、又は一部のその他銅合金から形成される。本明細書の教示を考慮することで、電極アセンブリ（４１０、４２０）の形成に使用できる様々な他の好適な材料が当業者に明らかとなるであろう。電極アセンブリ（４１０、４２０）を、多くの異なる方法で形成できることも理解されたい。一例にすぎないが、シム（４１６、４２６）を鍛造／打抜きシート金属によって形成できるが、一方、電極アセンブリ（４１０、４２０）の残部は、物理蒸着（ＰＶＤ）法、スパッタコーティング法、又は一部の他の種類の方法によって形成される。本明細書の教示を考慮することで、電極アセンブリ（４１０、４２０）を形成できるその他の好適な方法が当業者には明らかとなるであろう。更に、電極アセンブリ（４１０、４２０）は、多くの異なる方法で（例えば、電極アセンブリ（４１０、４２０）と発電機（１４）との間に介在する様々な種類の構成要素から）電力を受電できることを理解されたい。一例にすぎないが、シム（４１６、４２６）は、それぞれの導電性ブラシ、板バネ、又は別の種子の電気接触部材と接触していてよい。いくつかの形態では、アセンブリ（４００）は、導波管（１５０）によって画定される長手方向軸線の周りを回転でき、その間アセンブリ（４００）は、電極アセンブリ（４１０、４２０）を介して連続電力を受電することを理解されたい。
【００３１】
ボルト（１３０）、ホーン（１４０）、及び導波管（１５０）が導電材料から形成される形態では、これらの構成要素のうち任意のものは、第１電極アセンブリ（４１０）を介して内径面（１１６）と、又は、第２電極アセンブリ（４２０）を介して外径面（１１８）と、電気的に連結するために、（例えば、発電機（１４）などから）電力を供給する構成要素と接触していてよい。換言すれば、ボルト（１３０）、ホーン（１４０）、導波管（１５０）、及び第１電極アセンブリ（４１０）は全て、ボルト（１３０）、ホーン（１４０）、導波管（１５０）、及び第１電極アセンブリ（４１０）が全て内径面（１１６）と電気的導通をもたらすように、内径面（１１６）と電気的連通していてよい。あるいは、ボルト（１３０）、ホーン（１４０）、導波管（１５０）、及び第２電極アセンブリ（４２０）は全て、ボルト（１３０）、ホーン（１４０）、導波管（１５０）、及び第２電極アセンブリ（４２０）が全て外径面（１１８）と電気的導通をもたらすように、外径面（１１８）と電気的連通していてよい。
【００３２】
図１１に示されるように、この例のアセンブリは、ホーン（１４０）と第２電極アセンブリ（４２０）のシム（４２６）との間に介在する電気絶縁ワッシャ（４０２）を含む。このように、ワッシャ（４０２）は、第２電極アセンブリ（４２０）及び外径面（１１８）を、ボルト（１３０）、ホーン（１４０）、及び導波管（１５０）のアセンブリから電気的に絶縁する。ワッシャ（４０２）は、セラミック及び／又は任意のその他好適な電気絶縁材料から形成されてよい。ホーン（１４０）と第２電極アセンブリ（４２０）のシム（４２６）との間に介在しているワッシャ（４０２）に加え、又はその代替として、ワッシャ（４０２）は、第１電極アセンブリ（４１０）のシム（４１６）と末端塊部（１２０）との間（又は、末端塊部（１２０）とボルト（１３４）のヘッド（１３４）との間など）に介在し、第１電極アセンブリ（４１０）及び内径面（１１６）を、ボルト（１３０）、ホーン（１４０）、及び導波管（１５０）のアセンブリから電気的に絶縁してよい。本明細書の教示を考慮することで、適切な電気絶縁性をアセンブリ（４００）に提供し得る様々なその他好適な方法が当業者に明らかになるであろう。
【００３３】
Ｄ．変換素子用の例示の導電性発泡体アセンブリ
図１２〜１４は、変換素子（１１０）の面（１１６、１１８）に電気接触をもたらすのに使用され得る、例示の発泡体アセンブリ（５００）を示す。図１２で最も良くわかるように、発泡体アセンブリ（５００）は、導電層（５２０）と接着層（５３０）との間に介在する発泡パッド（５１０）を含む。ワイヤ（５４０）は、導電層（５２０）から延在し、導電層（５２０）との電気的連通をもたらす。ワイヤ（５４０）は、更に発電機（１４）と連結する。この例の発泡パッド（５１０）は、電気的に絶縁しており、また弾性的に付勢されて、図１２に示される膨張した形状も取る。本明細書の教示を考慮することで、発泡パッド（５１０）の形成に使用できる様々な好適な材料が当業者に明らかとなるであろう。導電層（５２０）は、導電性箔（例えば、銅又は銅合金など）、導電性メッシュ、又は布地（例えば、銅又は銅合金の糸が織り込まれている布地など）、導電性ストリップの組などから形成されてよい。本明細書の教示を考慮することで、導電層（５２０）が形成され得る様々な他の好適な方法が当業者に明らかになるであろう。接着層（５３０）は、感圧性接着剤及び／又は任意のその他好適な種類の感圧性接着剤を含んでよい。いくつかの別の形態では、接着層（５３０）は省略される。一例にすぎないが、発泡体アセンブリ（５００）のいくつかの形態は、発泡パッド（５１０）によってもたらされる摩擦及び弾性的付勢によって定位置に保持されてよい。
【００３４】
図１３は、変換素子（１１０）を係合している２つの発泡体アセンブリ（５００）を示す。具体的には、１つの発泡体アセンブリ（５００）は、変換素子（１１０）の外径面（１１８）と、トランスデューサアセンブリ（５０）の側板ハウジング（５２）との間に介在する。導電層（５２０）は、発泡パッド（５１０）の弾力性によって、外径面（１１８）を押している。接着層（５３０）は、発泡体アセンブリ（５００）を側板ハウジング（５２）に固定する。図１３には示されていないが、外径面（１１８）は、電極様の第１電極アセンブリ（２１０）、及び／又は、導電層（５２０）との電気的連通が可能な接触であるいくつかのその他特徴部を含んでよいと理解されたい。変換素子（１１０）が、導波管（１５０）によって画定される長手方向軸線の周りを回転できる一方で、外径面（１１８）は、導電層（５２０）は接触（したがって、電気的導通）したままであることも理解されたい。
【００３５】
図１３にも示されるが、図１４で最も良くわかるように、別の発泡体アセンブリ（５００）は、ボルト（１３０）のシャンク（１３１）と変換素子（１１０）の内径面（１１６）との間に介在する、変換素子（１１０）の穴部（１１１）内に位置付けられる。この発泡体アセンブリ（５００）は半分に折りたたまれており、２つの接着層（５３０）の領域によって並列している。したがって、導電層（５２０）の一方の領域は、ボルト（１３０）のシャンク（１３１）と接触し、一方導電層（５２０）の別の領域は、内径面（１１６）と接触している。これらの導電層（５２０）の領域は、発泡パッド（５１０）の弾力性によって、シャンク（１３１）及び内径面（１１６）を押している。内径面（１１６）は、本明細書の任意の様々な教示に従って、電極（例えば、銅又は銅合金などのコーティング）を含み得ることを理解されたい。この穴部（１１１）内の発泡体アセンブリ（５００）は、ボルト（１３０）のシャンク（１３１）と変換素子（１１０）の内径面（１１６）との間の電気的連通のための経路をもたらすことも理解されたい。ボルト（１３０）が、発電機（１４）（又は、いくつかの別の種類の電源）と電気的に連結する方法の１つの単なる例示的な例は、図１５〜１６を参照して以下で更に詳細に説明される。本明細書の教示を考慮することで、その他好適な例が当業者に明らかになるであろう。
【００３６】
ＩＩＩ．シリンダー状圧電変換素子の内径用の例示の代替的接触特徴部
上記の例は、変換素子（１１０）の面（１１６、１１８）との電気的連通をもたらすことによって、変換素子（１１０）を活性化し、導波管（１５０）を通して超音波振動を生じさせるために使用できる、様々な特徴部を含む。以下に記載される例は、特に内径面（１１６）との電気的連通をもたらすために使用できる、様々な別の特徴部を含む。以下に記載される例は、電気的連通を外径面（１１８）にもたらし得る方法に関して、本明細書の任意の教示と容易に組み合わせ得ることを理解されたい。以下の教示が適用され得るその他好適な器具構成が、当業者に明らかになるであろう。
【００３７】
以下に記載される例は、直接的に内径面（１１６）に、又は、内径面（１１６）に付着ないしは別の方法で適用されるいくつかの導電材料に接触するように構成されている、様々な特徴部を含む。一例にすぎないが、内径面（１１６）は、内径面（１１６）との電気的連通をもたらすために、以下に記載される任意の様々な特徴部と接触している、導電性コーティング又は挿入部材（例えば、ＢｅＣｕ、黄銅、その他別の銅合金など）を含んでよい。様々な下記電気接触特徴部のそれぞれが、音響アセンブリ（１００）を通じて伝達される共振超音波振動に関連するノードに対応する位置に、長手方向に配置され得る（又は、配置され接触する）ことも理解されたい。電気接触特徴部が、このようなノード位置に初期に位置付けられていない限りにおいて、一部のかかる電気接触特徴部は、音響アセンブリ（１００）が作動されている間の特定の時間後に、最終的にこのような位置に移動してもよい。換言すれば、音響アセンブリ（１００）を通じて伝達される振動は、最終的に電気接触特徴部をノード位置に駆動できる。
【００３８】
Ａ．例示の導電性ボルトキャップ
以下に記載される電気接触特徴部の様々な例は、ボルト（１３０）と変換素子（１１０）の内径面（１１６）との間の電気的連通のための経路を提供するように構成されている。換言すれば、以下に記載される様々な電気接触特徴部は、ボルト（１３０）と協働して、発電機（１４）（又は、いくつかのその他電源）と変換素子（１１０）の内径面（１１６）との間に電気的導通をもたらす。様々な種類の特徴部は、このような電気的導通をもたらすために、ボルト（１３０）と発電機（１４）（又は、いくつかのその他電源）との間に介在できることを理解されたい。図１５〜１６は、ボルト（１３０）と発電機（１４）（又は、いくつかのその他電源）との間に電気的導通をもたらすのに使用され得る、特徴部の１つの単なる例示的な例を示す。具体的には、図１５〜１６は、変形型ボルト（６３０）と連結できるキャップ（６００）を示す。
【００３９】
この例のボルト（６３０）は、導電材料から形成され、遠位ネジ付き領域（６３２）、ヘッド（６３４）、及びヘッド（６３４）に形成されるシリンダー状接触部（６３６）を有する、シャンク（６３１）を含む。ボルト（６３０）は、本明細書に記載される任意の例において、ボルト（１３０）の代わりに容易に機能し得ることを理解されたい。この例のキャップ（６００）も導電材料から形成され、一対の弾性アーム（６２０）を有するプレート（６１０）を含む。キャップ（６００）は、プレート（６１０）が接触部（６３６）の上に嵌合し、一方アーム（６２０）が接触部（６３６）の側壁に接触するように、構成される。アーム（６２０）は、接触部（６３６）の直径より小さい間隙を画定するように予成形され、アーム（６２０）が接触部（６３６）の側壁を押しているようにする。アーム（６２０）は２つだけ示されているが、任意の好適な数のアーム（６２０）が使用され得ると理解されたい。ワイヤ（６１２）は、プレート（６１０）と連結する。ワイヤ（６１２）は、ワイヤ（６１２）及びキャップ（６００）が、ボルト（６３０）と発電機（１４）（又は、いくつかのその他電源）との間の電気的連通のための経路をもたらすように、発電機（１４）（又は、いくつかのその他電源）にも更に連結される。
【００４０】
いくつかの場合では、ボルト（６３０）（及び、ボルト（６３０）の遠位にある音響アセンブリ（１００）の残部）は、ハンドルアセンブリ（２０）に対して回転可能であり、例えば、シャフトアセンブリ（３０）によって画定される長手方向軸線に周りでエンドエフェクタ（４０）を再方向付けする。かかる回転中、キャップ（６００）及びワイヤ（６１２）は固定されたままであってよい。アーム（６２０）は、ボルト（６３０）がキャップ（６００）に対して回転しても、キャップ（６００）がボルト（６３０）との電気的導通を維持するように、接触部（６３６）と摺動係合できる。本明細書の教示を考慮することで、キャップ（６００）とボルト（６３０）との間に提供され得るその他好適な関係が、当業者に明らかとなるであろう。
【００４１】
キャップ（６００）は、ボルト（１３０）（又は、その変形）と変換素子（１１０）の内径面（１１６）との間に電気的導通を提供するために使用できる、以下に記載する任意の構成例に組み込まれ得ることを理解されたい。換言すれば、ボルト（１３０）（又は、その変形）と変換素子（１１０）の内径面（１１６）との間に電気的導通を提供するために、以下に記載する例が実装され得、その一方で、同じボルト（１３０）（又は、その変形）と発電機（１４）（又は、いくつかのその他電源）との間に電気的導通を提供するために、キャップ（６００）が実装され得る。あるいは、本明細書の教示を考慮することで、当業者には明らかとなるように、任意のその他好適な構造を用いて、ボルト（１３０）（又は、その変形）と発電機（１４）（又は、いくつかのその他電源）との間に電気的導通を提供することができる。
【００４２】
Ｂ．シリンダー状圧電変換素子の内径用の、例示の弾性的に付勢した接触特徴部
いくつかの場合では、電気接触特徴部は、弾性的に付勢され、拡張した形状を取ることができる。いくつかのこのような場合では、電気接触特徴部は圧縮されて、変換素子（１１０）の穴部（１１１）内に嵌合し、電気接触特徴部が内径面（１１６）を弾性的に外向きに圧迫し、内径面（１１６）との接触（したがって、電気的導通）を維持するようにする。このような弾性的に付勢した電気接触特徴部の別の部分は、ボルト（１３０）と連結（したがって、電気的導通）してよい。弾性的に付勢した電気接触特徴部の様々な例示的な例を以下で更に詳細に説明するが、本明細書の教示を考慮することで、更なる例が当業者には明らかとなるであろう。
【００４３】
１．弾性的に付勢したアーム対を有する、例示の巻き付き型導体
図１７は、平らな状態の、例示の電気接触部材（７００）を示す。この例の接触部材（７００）は、第１の一連のアーム（７０２）と、第２の一連のアーム（７０４）と、アーム（７０２、７０４）を互いにつなぐバンド（７０６）と、を含む。バンド（７０６）は、図１８〜１９に示されるような環状形態にバンド（７０６）を形成するのを容易にする、いくつかの切り取り部（７０８）を含む。接触部材（７００）は、銅合金及び／又は任意のその他好適な導電材料から形成されてよい。接触部材（７００）はまた、鍛造法及び／又は任意のその他好適な方法を用いて形成されてもよい。本明細書の教示を考慮することで、接触部材（７００）の形成に使用できる様々な好適な材料及び方法が当業者に明らかとなるであろう。
【００４４】
図１８〜１９に示されるように、接触部材（７００）は、図１７に示される平らな状態から、バンド（７０６）が環状形状を形成し、対向するアーム対（７０２、７０４）が屈曲して一連の「Ｕ」字形状を形成する状態に変形され得る。具体的には、アーム（７０２）を屈曲して、ボルト（１３０）のシャンク（１３１）を弾性的に内向きに圧迫し、一方、アーム（７０４）を屈曲して、変換素子（１１０）の内径面（１１６）を弾性的に外向きに圧迫する。接触部材（７００）が導電材料から形成されるため、これによって、接触部材（７００）は、ボルト（１３０）と変換素子（１１０）の内径面（１１６）との間に電気的導通をもたらす。図１９に示されるように、いくつかの場合では、各アーム（７０２）は突出部（７０３）を含み、各アーム（７０４）は突出部（７０５）を含む。突出部（７０３、７０５）は、アーム（７０２）とシャンク（１３１）との間、及び、アーム（７０４）と内径面（１１６）との間に、寸法が小さい接点を提供するように構成されていてよい。例えば、これによって、音響アセンブリ（１００）を通じて伝達される共振超音波振動に関連するノードに対応する位置に、接点を集中させるのに役立ち得る。本明細書の教示を考慮することで、接触部材（７００）の他の変化形態が当業者に明らかになるであろう。
【００４５】
２．弾性的に付勢した湾曲アームを有する、例示の導体
図２０〜２２は、別の例示の電気接触部材（８００）を示す。この例の接触部材（８００）は、ハブ部材から延在している複数のアーム（８２０）を有する、ハブ部材（８１０）を含む。接触部材（８００）は、銅合金及び／又は任意のその他好適な導電材料から形成されてよい。接触部材（８００）はまた、鍛造法及び／又は任意のその他好適な方法を用いて形成されてもよい。本明細書の教示を考慮することで、接触部材（８００）の形成に使用できる様々な好適な材料及び方法が当業者に明らかとなるであろう。ハブ部材（８１０）は、一対の内向きの突起部（８１４）を含む、開口部（８１２）を画定する。開口部（８１２）は、ボルト（１３０）のシャンク（１３１）を受容するように構成されている。図２２で最も良くわかるように、突起部（８１４）は変形してシャンク（１３１）を係合する。このように変形しても、突起部（８１４）の突起した形状は、接触部材（８００）のシャンク（１３１）に沿った長手方向位置を実質的に維持する、係合をもたらす。例えば、突起部（８１４）は、シャンク（１３１）に「食い込む」ように構成されていてよい。いくつかの別の形態では、突起部（８１４）を省略し、開口部（８１２）は、代わりに、シャンク（１３１）の遠位端（１３２）のネジ山に合うネジ山を画定する。したがって、接触部材（８００）は、ナットのようにシャンク（１３１）にネジ付けることができる。本明細書の教示を考慮することで、接触部材（８００）とシャンク（１３１）との間のその他好適な種類の関係が、当業者に明らかとなるであろう。この例の接触部材（８００）は、ハブ部材（８１０）とシャンク（１３１）との間の接触によって、ボルト（１３０）と電気的に連結することを理解されたい。
【００４６】
各アーム（８２０）は、外向きの湾曲部（８２２）を含む。図２１〜２２に示されるように、接触部材（８００）が変換素子（１１０）の穴部（１１１）に配設されると、湾曲部（８２２）は、変換素子（１１０）の内径面（１１６）を外向きに圧迫するように構成されている。接触部材（８００）が導電材料から形成されるため、これによって、接触部材（８００）は、ボルト（１３０）と変換素子（１１０）の内径面（１１６）との間に電気的導通をもたらす。この例では、湾曲部（８２２）は、内径面（１１６）に接触するアーム（８２０）の領域が中央に置かれ、音響アセンブリ（１００）を通じて伝達される共振超音波振動に関連するノードに対応する位置に位置付けられるように構成されている。本明細書の教示を考慮することで、接触部材（８００）の他の変化形態が当業者に明らかになるであろう。一例にすぎないが、４つのアーム（８２０）が示される一方で、任意のその他好適な数のアーム（８２０）を提供してもよい。
【００４７】
３．弾性的に付勢した湾曲アームを有する、例示の導体対
図２３〜２５は、一対の例示の代替的電気接触部材（９００）を示す。この例では、２つの接触部材（９００）が示されているが、任意のその他好適な数の接触部材（９００）が使用され得ると理解されたい。この例の各接触部材（９００）は、ハブ部材から延在している複数のアーム（９２０）を有する、ハブ部材（９１０）を含む。接触部材（９００）は、銅合金及び／又は任意のその他好適な導電材料から形成されてよい。接触部材（９００）はまた、鍛造法及び／又は任意のその他好適な方法を用いて形成されてもよい。本明細書の教示を考慮することで、接触部材（９００）の形成に使用できる様々な好適な材料及び方法が当業者に明らかとなるであろう。ハブ部材（９１０）は、ボルト（１３０）のシャンク（１３１）を受容するように構成されている、開口部（９１２）を画定する。開口部（９１２）は、接触部材（９００）がナットのようにシャンク（１３１）にネジ付けることができるような寸法であり、そのように構成されている。本明細書の教示を考慮することで、接触部材（９００）とシャンク（１３１）との間のその他好適な種類の関係が、当業者に明らかとなるであろう。この例の接触部材（９００）は、ハブ部材（９１０）とシャンク（１３１）との間の接触によって、ボルト（１３０）と電気的に連結することを理解されたい。
【００４８】
各アーム（９２０）は、外向きに湾曲して方向付けられた湾曲を有する。図２４〜２５に示されるように、接触部材（９００）が変換素子（１１０）の穴部（１１１）に配設されると、アーム（９２０）は、変換素子（１１０）の内径面（１１６）を外向きに圧迫するように構成されている。接触部材（９００）が導電材料から形成されるため、これによって、接触部材（９００）は、ボルト（１３０）と変換素子（１１０）の内径面（１１６）との間に電気的導通をもたらす。アーム（９２０）は、内径面（１１６）に接触するアーム（９２０）の領域が中央に置かれ、音響アセンブリ（１００）を通じて伝達される共振超音波振動に関連するノードに対応する位置に位置付けられるように構成されている。本明細書の教示を考慮することで、接触部材（９００）の他の変化形態が当業者に明らかになるであろう。
【００４９】
４．リビングヒンジ上にアームを有する、例示の導体
図２６〜２８は、別の例示の電気接触部材（１０００）を示す。この例の接触部材（１０００）は、ハブ部材から延在している複数のアーム（１０２０）を有する、ハブ部材（１０１０）を含む。接触部材（１０００）は、銅合金及び／又は任意のその他好適な導電材料から形成されてよい。接触部材（１０００）はまた、鍛造法及び／又は任意のその他好適な方法を用いて形成されてもよい。本明細書の教示を考慮することで、接触部材（１０００）の形成に使用できる様々な好適な材料及び方法が当業者に明らかとなるであろう。ハブ部材（１０１０）は、ボルト（１３０）のシャンク（１３１）を受容するように構成されている、開口部（１０１２）を画定する。開口部（１０１２）は、接触部材（１０００）がナットのようにシャンク（１３１）にネジ付けることができるような寸法であり、そのように構成されている。いくつかの別の形態では、ハブ部材（１０１０）は、シャンク（１３１）の遠位端（１３２）のネジ山より近位の位置で、シャンク（１３１）に溶着、ないしは別の方法で固定されている。本明細書の教示を考慮することで、接触部材（１０００）とシャンク（１３１）との間のその他好適な種類の関係が、当業者に明らかとなるであろう。この例の接触部材（１０００）は、ハブ部材（１０１０）とシャンク（１３１）との間の接触によって、ボルト（１３０）と電気的に連結することを理解されたい。
【００５０】
アーム（１０２０）は、リビングヒンジ（１０２２）を介してハブ部材（１０１０）と連結される。アーム（１０２０）の弾力性とリビングヒンジ（１０２２）の弾力性が協働して、アーム（１０２０）を、図２６に示されるような外向きに開いた形状に、弾性的に付勢する。したがって、図２７〜２８に示されるように、接触部材（１０００）が変換素子（１１０）の穴部（１１１）に配設されると、アーム（１０２０）は、変換素子（１１０）の内径面（１１６）を外向きに圧迫するように構成されている。接触部材（１０００）が導電材料から形成されるため、これによって、接触部材（１０００）は、ボルト（１３０）と変換素子（１１０）の内径面（１１６）との間に電気的導通をもたらす。アーム（１０２０）は、内径面（１１６）に接触するアーム（１０２０）の領域が中央に置かれ、音響アセンブリ（１００）を通じて伝達される共振超音波振動に関連するノードに対応する位置に位置付けられるように構成されている。本明細書の教示を考慮することで、接触部材（１０００）の他の変化形態が当業者に明らかになるであろう。
【００５１】
５．弾性的に付勢したウィングを有する、例示の導体
図２９〜３１は、別の例示の電気接触部材（１１００）を示す。この例の接触部材（１１００）は、ハブ部材から外向きの一対のアーム、つまりウィング（１１２０）を有する、ハブ部材（１１１０）を含む。接触部材（１１００）は、銅合金及び／又は任意のその他好適な導電材料から形成されてよい。接触部材（１１００）はまた、鍛造法及び／又は任意のその他好適な方法を用いて形成されてもよい。本明細書の教示を考慮することで、接触部材（１１００）の形成に使用できる様々な好適な材料及び方法が当業者に明らかとなるであろう。ハブ部材（１１１０）は、ボルト（１３０）のシャンク（１３１）を受容するように構成されている、開口部（１１１２）を画定する。開口部（１１１２）は、接触部材（１１００）がナットのようにシャンク（１３１）にネジ付けることができるような寸法であり、そのように構成されている。いくつかの別の形態では、ハブ部材（１１１０）は、シャンク（１３１）の遠位端（１３２）のネジ山より近位の位置で、シャンク（１３１）に溶着、ないしは別の方法で固定されている。本明細書の教示を考慮することで、接触部材（１１００）とシャンク（１３１）との間のその他好適な種類の関係が、当業者に明らかとなるであろう。この例の接触部材（１１００）は、ハブ部材（１１１０）とシャンク（１３１）との間の接触によって、ボルト（１３０）と電気的に連結することを理解されたい。
【００５２】
ウィング（１１２０）は、ハブ部材（１１１０）の一体型特徴部として構成されている。ウィング（１１２０）の弾力性は、図２９に示されるような外向きに延在する平坦な形状に、ウィング（１１２０）を弾性的に付勢する。換言すれば、ウィング（wins）（１１２０）を弾性的に付勢して、ハブ部材（１１１０）と同じ面に沿って延在させる。したがって、図３０〜３１に示されるように、接触部材（１１００）が変換素子（１１０）の穴部（１１１）に配設されると、ウィング（１１２０）は、変換素子（１１０）の内径面（１１６）を外向きに圧迫するように構成されている。接触部材（１１００）が導電材料から形成されるため、これによって、接触部材（１１００）は、ボルト（１３０）と変換素子（１１０）の内径面（１１６）との間に電気的導通をもたらす。ウィング（１１２０）は、内径面（１１６）に接触するウィング（１１２０）の領域が中央に置かれ、音響アセンブリ（１００）を通じて伝達される共振超音波振動に関連するノードに対応する位置に位置付けられるように構成されている。本明細書の教示を考慮することで、接触部材（１１００）の他の変化形態が当業者に明らかになるであろう。
【００５３】
６．例示の丸め型導体
図３２〜３４は、別の例示の電気接触部材（１２００）を示しており、例示の代替的ボルト（１２３０）と共に用いるために構成されている。ボルト（１２３０）は、この例のボルト（１２３０）が、シャンク（１２３１）から半径方向外向きに延在している突起部（１２３６）の角度付きアレイを含む以外は、上記ボルト（１３０）と実質的に同一である。ボルト（１２３１）はまた、ボルト（１３０）と同様に、ネジ付き遠位部（１２３０）及びヘッド（１２３４）も含む。この例の接触部材（１２００）は、シリンダー形状に丸められ、一対の対向する外縁部（１２２０、１２２２）が図３４に示されるように重なって位置付けられている、シートを含む。接触部材（１２００）は、銅合金及び／又は任意のその他好適な導電材料から形成されてよい。接触部材（１２００）はまた、鍛造法及び／又は任意のその他好適な方法を用いて形成されてもよい。本明細書の教示を考慮することで、接触部材（１２００）の形成に使用できる様々な好適な材料及び方法が当業者に明らかとなるであろう。この例の接触部材（１２００）は、開口部（１２１０）のアレイを画定する。開口部（１２１０）は、ボルト（１２３０）の突起部（１２３６）受容するように構成されている。この例の接触部材（１２００）は、開口部（１２１０）における接触部材（１２００）と突起部（１２３６）との間の接触によって、ボルト（１２３０）と電気的に連結することを理解されたい。
【００５４】
接触部材（１２００）は、弾性的に付勢されて、実質的に平坦で丸められていない形状を取り、接触部材（１２００）が示されるような巻き付いた形状であるとき、接触部材（１２００）が、ねじりばねと類似する弾性的付勢を有するようにする。したがって、図３３〜３４に示されるように、接触部材（１２００）が変換素子（１１０）の穴部（１１１）に配設されると、接触部材（１２００）の外側表面（１２０２）は、変換素子（１１０）の内径面（１１６）を弾性的に外向きに圧迫する。接触部材（１２００）が導電材料から形成されるため、これによって、接触部材（１２００）は、ボルト（１３０）と変換素子（１１０）の内径面（１１６）との間に電気的導通をもたらす。いくつかの変化形態では、接触部材（１２００）は、導電材料（例えば、銅合金など）でコーティングされたニチノールから形成されてよい。接触部材（１２００）は、穴部（１１１）の直径より大きい有効外径を有する、丸められたシリンダー形状を有するように予成形されてよい。接触部材（１２００）を縮めて穴部（１１１）内に嵌合し、続いて加熱してより大きな形状に拡張させ、それによって内径面（１１６）を押すことができる。本明細書の教示を考慮することで、接触部材（１２００）の他の変化形態が当業者に明らかになるであろう。
【００５５】
７．長手方向付勢を有する、例示のコイル型導体
図３５Ａ〜３６は、別の例示の電気接触部材（１３００）を示す。この例の接触部材（１３００）は、ホーン（１４０）の近位端に固定されるコイルバネの形態である。接触部材（１３００）は、任意の好適な導電材料を含んでよい。本明細書の教示を考慮することで、接触部材（１３００）の形成に使用できる様々な好適な材料及び方法が当業者に明らかとなるであろう。接触部材（１３００）は、図３５Ａに示されるような短縮形態を取るように構成されているが、図３５Ｂに示されるような伸長形態を取るために変形可能である。この例の接触部材（１３００）は、接触部材（１３００）とホーン（１４０）との間の接触、及び、ホーン（１４０）とボルト（１３０）との間の接触によって、ボルト（１２３０）と電気的に連結することを理解されたい。
【００５６】
図３５Ａに示されるように、接触部材（１３００）が短縮形態にあるとき、接触部材（１３００）は第１有効外径（ｄ１）を画定する。図３５Ｂに示されるように、接触部材（１３００）が伸長形態にあるとき、接触部材（１３００）は第２有効外径（ｄ２）を画定する。示されるように、第２有効外径（ｄ２）は、第１有効外径（ｄ１）より小さい。第２有効外径（ｄ２）はまた、変換素子（１１０）の穴部（１１１）の直径よりも小さいが、第１有効外径（ｄ１）は、変換素子（１１０）の穴部（１１１）の直径より大きい。接触部材（１３００）を有する音響アセンブリ（１００）が組み立てられていると、穴部（１１１）内の接触部材（１３００）の嵌合を容易にするため、この接触部材（１３００）は、図３５Ｂに示される形状に伸長され得る接触部材（１３００）が穴部（１１１）内で適切に位置付けられると、接触部材（１３００）が解放され、それによって、接触部材（１３００）の、図３５Ａに示される短縮形態に向けての移行が可能になる。接触部材（１３００）がこのように移行すると、接触部材（１３００）は、最終的に内径面（１１６）と接触することによって、内径面（１１６）を、ホーン（１４０）及びボルト（１３０）と電気的導通するように配置する。その後、音響アセンブリ（１００）を組み立てる最終工程を、通常の方法で完了できる。本明細書の教示を考慮することで、接触部材（１３００）の他の変化形態が当業者に明らかになるであろう。一例にすぎないが、いくつかの形態では、ホーン（１４０）に固定されている接触部材（１３００）に加えて、又はその代わりに、接触部材（１３００）の一方の端部をボルト（１３０）に直接固定してもよい。
【００５７】
８．一体化導体を有する、例示のトランスデューサキャップ
図３７は、別の例示の電気接触部材（１３００）を示しており、例示の代替的ホーン（１４４０）と共に用いるために構成されている。ホーン（１４４０）は、この例のホーン（１４４０）が、変換素子（１１０）を挿入するように受容する寸法である、近位に延在するスリーブ（１４４２）を含むこと以外は、上記ホーン（１４０）と実質的に同一である。スリーブ（１４４２）はまた、ボルト（１３０）の代替として機能するネジ付きキャップ（１４３０）を受容するように構成されている、ネジ付き近位端も含む。具体的には、キャップ（１４３０）は、キャップ（１４３０）がスリーブ（１４４２）に対して締められると、末端塊部（１２０）及び変換素子（１１０）をホーン（１４４０）に向けて圧縮するように構成されている。
【００５８】
スリーブ（１４４２）は、スリーブ（１４４２）が変換素子（１１０）の外径面（１１８）に接触するような寸法である。したがって、ホーン（１４４０）は、外径面（１１８）と発電機（１４）（又は、いくつかのその他電源）との間の電気経路として機能し得る。キャップ（１４３０）は、キャップ（１４３０）がホーン（１４４０）への／ホーンからの電気経路として機能しないように、電気絶縁材料から形成される。接触部材（１４００）は、接触部材（１４００）の近位端をキャップ（１４３０）に対して露出した状態で、キャップ（１４３０）にしっかりと固定される。接触部材（１４００）は、変換素子（１１０）によって画定される長手方向軸線の各側面において、複数の山部（１４２０）を画定する、波状ストリップを含む。接触部材（１４００）は、各山部（１４２０）で変換素子（１１０）の内径面（１１６）に接触し、接触部材（１４００）が板バネ様に作用するように、これらの接点において内径面（１１６）を弾性的に押している。接触部材（１４００）は、銅合金及び／又は任意のその他好適な導電材料から形成されてよい。接触部材（１４００）はまた、鍛造法及び／又は任意のその他好適な方法を用いて形成されてもよい。本明細書の教示を考慮することで、接触部材（１４００）の形成に使用できる様々な好適な材料及び方法が当業者に明らかとなるであろう。接触部材（１４００）は、近位端（１４１０）の露出部を介して、発電機（１４）（又は、いくつかのその他電源）と電気的連通するように配置され得ることを理解されたい。したがって、接触部材（１４００）は、内径面（１１６）と発電機（１４）（又は、いくつかのその他電源）との間の電気経路として機能し得る。
【００５９】
図３８は、接触部材（１４００）の例示の変化形態を示す。具体的には、図３８は、山部（１４２０）が位置付けられる場所に対応する拡張領域（１４５２）を含む、接触部材（１４５０）を示す。換言すれば、接触部材（１４５０）は、拡張領域（１４５２）で内径面（１１６）に接触する。本明細書の教示を考慮することで、接触部材（１４００、１４５０）の他の変化形態が当業者に明らかになるであろう。ホーン（１４４０）及びキャップ（１４３０）が多くの異なる方法で変更され得ることも理解されたい。一例にすぎないが、スリーブ（１４４２）は、ホーン（１４４０）の一体化特徴部である代わりに、キャップ（１４３０）の一体化特徴部であってよい。
【００６０】
９．一体化導体アームを有する、例示のトランスデューサボルト
図３９〜４０は、ボルト（１３０）の別の例示の変化形態を示す。具体的には、図３９〜４０は、ネジ付き遠位端（１５３２）を有するシャンク（１５３１）と、ヘッド（１５３４）と、ヘッド（１５３４）と一体化している一対の弾性アーム（１５２０）と、を含む、例示のボルト（１５３０）を示す。各アーム（１５２０）は、外向きの湾曲部（１５２２）を含む。図４０に示されるように、ボルト（１５３０）が変換素子（１１０）の穴部（１１１）に配設されると、湾曲部（１５２２）は、変換素子（１１０）の内径面（１１６）を外向きに圧迫するように構成されており、アーム（１５２０）が外向きに付勢された板バネ様に作用する。アーム（１５２０）は導電材料から形成され、アーム（１５２０）は、ボルト（１５３０）と変換素子（１１０）の内径面（１１６）との間に電気的導通をもたらす。この例では、湾曲部（１５２２）は、内径面（１１６）に接触するアーム（１５２０）の領域が中央に置かれ、音響アセンブリ（１００）を通じて伝達される共振超音波振動に関連するノードに対応する位置に位置付けられるように構成されている。本明細書の教示を考慮することで、ボルト（１５３０）及びアーム（１５２０）の他の変化形態が当業者に明らかになるであろう。一例にすぎないが、２つのアーム（１５２０）が示される一方で、任意のその他好適な数のアーム（１５２０）を提供してもよい。
【００６１】
Ｃ．シリンダー状圧電変換素子の内径用の、例示の拡張可能な接触特徴部
上記の様々な例は、拡張した形状に弾性的に付勢される電気接触特徴部を含むことによって、ボルト（１３０）（又は、類似の特徴部）と変換素子（１１０）の内径面（１１６）との間に電気的導通をもたらす。いくつかの別の場合では、電気接触特徴部は、拡張した形状に変形可能な非弾性材料を含み、それによって、ボルト（１３０）（又は、類似の特徴部）と変換素子（１１０）の内径面（１１６）との間に電気的導通をもたらす。換言すれば、電気接触特徴部を変換素子（１１０）の穴部（１１１）内に配置し、その後、ボルト（１３０）（又は、類似の特徴部）と変換素子（１１０）の内径面（１１６）との間の電気的導通を達成するために、別の構成要素及び／又は作用（例えば、長手方向圧縮）によって変形できる。非弾性的に変形され、別の構成要素による長手方向圧縮に対応して外向きに拡張し得る電気接触特徴部の様々な例は、以下で更に詳細に説明されるが、本明細書の教示を考慮することで、更なる例が当業者に明らかになるであろう。
【００６２】
１．拡張可能なリーフ部を有する、例示の導波管特徴部
図４１〜４２Ｂは、ホーン（１４０）及びボルト（１３０）の例示の変化形態を示す。具体的には、図４１〜４２Ｂは、変形可能な特徴部（１６５０）を含むホーン（１６４０）を示す。変形可能な特徴部（１６５０）は、内部コレット様に構成されている。具体的には、変形可能な特徴部（１６５０）は雌ネジ（１６５２）を画定し、１組の近位に延在するリーフ部（１６５４）を含む。リーフ部（１６５４）は、以下で更に詳細に説明するように、リーフ部（１６５４）の分離を促進するように構成されている、間隙（１６５６）によって分離されている。いくつかの形態では、リーフ部（１６５４）を弾性的に付勢し、図４１〜４２Ａに示される形状を取る。いくつかの別の形態では、（１６５４）は可鍛性であり、図４１〜４２Ａに示される形状を有するように最初は形成される。ホーン（１６４０）及び変形可能な特徴部（１６５０）は導電性である。本明細書の教示を考慮することで、ホーン（１６４０）及び変形可能な特徴部（１６５０）の形成に使用できる様々な好適な材料及び方法が当業者に明らかとなるであろう。
【００６３】
図４２Ｂは、ネジ付き遠位端（１６３２）を有するシャンク（１６３１）と、ヘッド（１６３４）と、ネジ付き遠位端（１６３２）より近位のテーパ状領域（１６３６）と、を含む、ボルト（１６３０）を示す。図４２Ａから図４２Ｂへの移行で示されるように、ネジ付き遠位端（１６３２）が変形可能な特徴部（１６５０）のネジ山（１６５２）に螺入されると、テーパ状領域（１６３６）は、リーフ部（１６５４）を外向きに離れる方向に駆動するように構成されている。リーフ部（１６５４）のこの変形により、リーフ部（１６５４）が駆動され、変換素子（１１０）の内径面（１１６）と接触する。したがって、リーフ部（１６５４）は、ホーン（１６４０）と内径面（１１６）との間の電気的導通のための経路をもたらす。本明細書の教示を考慮すれば、ホーン（１６４０）を発電機（１６）（又は、いくつかのその他電源）と更に電気的に連結することができる様々な適切な方法が、当業者に明らかであろう。同様に、本明細書の教示を考慮することで、変形可能な特徴部（１６５０）の多くの変化形態が当業者に明らかになるであろう。
【００６４】
２．座屈特徴部を有する、例示のシリンダー状部材
図４３〜４４は、別の例示の変形可能な電気接触部材（１７００）を示す。この例の接触部材（１７００）は、形状がシリンダー状であり、遠位端（１７０２）及び近位端（１７０２）を有する。複数の長手方向に延在するスロット（１７１０）は、接触部材（１７００）の長さの一部に沿って形成される。スロット（１７１０）は、リブ（１７１２）のアレイを画定する。接触部材（１７００）は、変換素子（１１０）の穴部（１１１）内に嵌合するような寸法である。接触部材（１７００）は更に、ボルト（１３０）のシャンク（１３１）を挿入するように受容する寸法である。接触部材（１７００）は、導電性かつ変形可能な材料から形成される。本明細書の教示を考慮することで、接触部材（１７００）の形成に使用できる様々な好適な材料及び方法が当業者に明らかとなるであろう。
【００６５】
接触部材（１７００）は、図４３に示されるように、最初は実質的に真っ直ぐなシリンダー形状を有する。この形状では、接触部材（１７００）は、変換素子（１１０）の高さより大きい高さを有する。したがって、この真っ直ぐな形状のままで接触部材（１７００）を最初に穴部（１１１）内に挿入すると、遠位端（１７０２）はホーン（１４０）に接触し、近位端（１７０４）は変換素子（１１０）から近位に突出する。その後、末端塊部（１２０）を近位端（１７０４）と係合し、ボルト（１３０）をホーン（１４０）に固定すると、ボルト（１３０）のヘッド（１３４）及び末端塊部（１２０）が、近位端（１７０４）をホーン（１４０）に向かって駆動し、それによって、接触部材（１７００）の本体を長手方向に圧縮する。これによって、接触部材（１７００）の本体を座屈させ、図４４に示されるように、リブ（１７１２）が外向きに変形して、変換素子（１１０）の内径面（１１６）と接触する。したがって、接触部材（１７００）は、拡張する有効外径を有する、モリーボルトの変形可能な特徴部と同様に機能する。接触部材（１７００）が導電材料から形成されるため、これによって、接触部材（１７００）は、ボルト（１３０）と変換素子（１１０）の内径面（１１６）との間に電気的導通をもたらす。本明細書の教示を考慮することで、接触部材（１７００）の他の変化形態が当業者に明らかになるであろう。
【００６６】
３．座屈アームを有する、例示のボルト特徴部
図４５〜４６は、変形可能な電気接触部材（１８５０）を含む、例示の代替的ボルトアセンブリ（１８３０）を示す。ボルトアセンブリ（１８３０）は、ネジ付き遠位端（１８３２）、ネジ付き近位端（１８６２）、及び、端部（１８３２、１８６２）間に位置する外向きに延在しているフランジ（１８６０）を有する、シャンク（１８３１）を更に含む。ネジ付き遠位端（１８３２）は、ボルト（１３０）のネジ付き遠位端（１３２）のように、ホーン（１４０）の近位端に螺入するように構成されている。ネジ付き近位端（１８６２）は、ネジ付き近位端（１８６２）に固定されるとき、ヘッド（１３４）のように作用する、ナット（１８３４）を受容するように構成されている。接触部材（１８５０）は、遠位環状部材（１８５２）と、近位環状部材（１８５４）と、環状部材（１８５２、１８５４）間を延在する複数の脚部（１８５６）と、を含む。接触部材（１８５０）を含むボルトアセンブリ（１８３０）全体は、導電性かつ変形可能な材料から形成される。本明細書の教示を考慮することで、ボルトアセンブリ（１８３０）の形成に使用できる様々な好適な材料及び方法が当業者に明らかとなるであろう。ボルトアセンブリ（１８３０）を、ボルト（１３０）の代わりに使用できることを理解されたい。
【００６７】
接触部材（１８５０）は、図４５に示されるように、最初は実質的に真っ直ぐな形状を有する。この形状では、接触部材（１８５０）は、遠位環状部材（１８５２）がフランジ（１８６０）を係合するまで、シャンク（１８３１）の近位端（１８６２）の上を摺動する。フランジ（１８６０）は、遠位環状部材（１８５２）より大きい外径を有する。シャンク（１８３１）及び接触部材（１８５０）は、穴部（１１１）内に挿入される。この段階では、接触部材（１８５０）の有効外径は穴部（１１１）の内径より小さい。続いて、末端塊部（１２０）が近位端（１８６２）の上を摺動し、その後ナット（１８３４）が近位端（１８６２）に固定される。遠位端（１８３２）は、この組立プロセス中の任意の好適な時間において、ホーン（１４０）内に螺入されてよい。ナット（１８３４）が近位端（１８６２）から遠位端（１８３２）に向けて駆動されると、接触部材（１８５０）は、フランジ（１８６０）と末端塊部（１２０）との管で長手方向に圧縮される。これによって接触部材（１８５０）の脚部（１８５６）を座屈させ、図４６に示されるように、脚部（１８５６）が外向きに変形して、変換素子（１１０）の内径面（１１６）と接触する。したがって、接触部材（１８５０）は、拡張する有効外径を有する、モリーボルトの変形可能な特徴部と同様に機能する。接触部材（１８５０）が導電材料から形成されるため、これによって、接触部材（１８５０）は、ボルトアセンブリ（１８３０）と変換素子（１１０）の内径面（１１６）との間に電気的導通をもたらす。本明細書の教示を考慮することで、接触部材（１８５０）の他の変化形態及びボルトアセンブリ（１８３０）の別の部分が当業者に明らかになるであろう。一例にすぎないが、この例の脚部（１８５６）は屈曲することによって変形するが、いくつかの別の形態は、ピン止めヒンジ、リビングヒンジ、及び／又は、長手方向圧縮に対応していくつかのその他様式で、脚部（１８５６）の折りたたみと外向き拡張をもたらす別の特徴部を有する脚部（１８５６）を有していてもよい。別の単なる例示的な変化形態として、シャンク（１８３１）は、ホーン（１４０）の一体化特徴部であってよい。
【００６８】
Ｄ．例示の導電性液体充填材
弾性的に及び／又は別の方法で変形可能な接触部材の上記例は、変換素子（１１０）の内径面（１１６）の特定の部分のみに接触する。いくつかの場合では、導電部材によって内径面（１１６）全体に接触することが望ましい場合がある。これをなし得る１つの単なる例示的な方法を、図４７に示す。具体的には、図４７は、シャンク（１３１）と内径面（１１６）との間の変換素子（１１０）の穴部（１１１）内に配設される、充填材料（１９００）を示す。充填材料（１９００）は、任意の好適な導電材料、例えば生理食塩水、銀エポキシなどを含んでよい。充填材料（１９００）はまた、液体、発泡体、粉末、モノリシック固体などが挙げられるが、これらに限定されない、任意の好適な稠度を有してもよい。本明細書の教示を考慮することで、充填材料（１９００）に使用できる様々な好適な種類の材料が当業者に明らかとなるであろう。
【００６９】
同様に、本明細書の教示を考慮することで、充填材料（１９００）を穴部（１１１）内に導入できる様々な好適な方法が当業者に明らかになるであろう。いくつかの形態では、シャンク（１３１）を穴部（１１１）内に挿入する前に、充填材料（１９００）を穴部（１１１）内に導入する。いくつかの別の形態では、シャンク（１８３１）のようなシャンクを穴部内に導入し、その後、充填材料（１９００）をシャンク（１８３１）と内径面（１１６）との間の間隙に導入し、続いて、ナット（１８３４）のようなナットをシャンク（１８３１）に固定する。充填材料（１９００）の導入方法に関わらず、充填材料（１９００）の伝導度によって、ボルト（１３０）と変換素子（１１０）の内径面（１１６）との間の電気的導通をもたらすことを理解されたい。
【００７０】
Ｅ．ボルト周囲の例示の環状導体
図４８〜４９は、例示の代替的電気接触部材（２０５０）を有する、例示の代替的ボルト（２０３０）を示す。この例のボルト（２０３０）は、ボルト（１３０）と実質的に同一であり、シャンク（２０３１）と、ネジ付き遠位端（２０３２）と、ヘッド（２０３４）と、を含む。ボルト（１３０）とは異なり、この例のボルト（２０３０）は、シャンク（２０３１）に環状凹部（２０３６）を含む。接触部材（２０５０）は、凹部（２０３６）に配設される。この例の接触部材（２０５０）は、環状形状に形成された連続コイルバネを含む。接触部材（２０５０）の有効内径は、シャンク（２０３１）の外径より小さい。いくつかの形態では、接触部材（２０５０）は弾性的に付勢され、接触部材（２０５０）が凹部（２０３６）内にぴったりと嵌合するように、凹部（２０３６）の外径より小さい有効内径を有する形状を取る。ボルト（２０３０）及び接触部材（２０５０）は両方とも、導電材料から形成される。本明細書の教示を考慮することで、ボルト（２０３０）及び接触部材（２０５０）の形成に使用できる様々な好適な材料及び方法が当業者に明らかとなるであろう。
【００７１】
接触部材（２０５０）の有効外径は、穴部（１１１）の内径より小さい。したがって、図４９に示されるように、ボルト（２０３０）及び接触部材（２０５０）が穴部（１１１）内に挿入されると、接触部材（２０５０）は、ボルト（２０３０）と内径面（１１６）との間で圧縮される。接触部材（２０５０）が導電材料から形成されるため、これによって、接触部材（２０５０）は、ボルト（２０３０）と変換素子（１１０）の内径面（１１６）との間に電気的導通をもたらす。本明細書の教示を考慮することで、接触部材（２０５０）の他の変化形態が当業者に明らかになるであろう。
【００７２】
Ｆ．例示の導電性発泡体チューブ
図５０〜５１は、ボルト（１３０）のシャンク（１３１）と変換素子（１１０）の内径面（１１６）との間に介在し得る、例示の導電性発泡体チューブ（２１００）を示す。発泡体チューブ（２１００）は、遠位端（２１０２）、近位端（２１０４）、外径面（２１１８）、及び穴部（２１１１）を画定する内径面（２１１６）を有する。発泡体チューブ（２１００）は、圧縮可能な導電材料から形成される。一例にすぎないが、発泡体チューブ（２１００）は、スチールウール及び／又はスチールウールのように形成されたいくつかのその他金属材料から形成されてよい。本明細書の教示を考慮することで、発泡体チューブ（２１００）の形成に使用できる様々な好適な材料及び方法が当業者に明らかとなるであろう。
【００７３】
いくつかの形態では、シャンク（１３１）が穴部（２１１１）内に挿入される前は、穴部（２１１１）の内径はシャンク（１３１）の外径より小さい。したがって、シャンク（１３１）が穴部（２１１１）内に挿入されると、内径面（２１１６）はシャンク（１３１）に完全に接触する。加えて、発泡体チューブ（２１００）が穴部（１１１）内に挿入される前は、発泡体チューブ（２１００）の外径は穴部（１１１）の内径より小さい。したがって、図５１に示されるように、発泡体チューブ（２１００）が穴部（１１１）内に挿入されると、発泡体チューブ（２１００）の外径面（２１１８）は変換素子（１１０）の内径面（１１６）に完全に接触する。したがって、図５１に示されるように組み立てられると、発泡体チューブ（２１００）は、シャンク（１３１）及び内径面（１１６）の両方に完全に接触すると理解されたい。発泡体チューブ（２１００）が導電材料から形成されるため、これによって、発泡体チューブ（２１００）は、ボルト（１３０）と変換素子（１１０）の内径面（１１６）との間に電気的導通をもたらす。本明細書の教示を考慮することで、発泡体チューブ（２１００）の他の変化形態が当業者に明らかになるであろう。
【００７４】
一例にすぎないが、いくつかの形態の発泡体チューブ（２１００）は、発泡体チューブ（２１００）が穴部（１１１）内に挿入される前に、穴部（１１１）の長さより大きい高さを有してよい。いくつかのこのような形態では、ボルト（１３０）がホーン（１４０）に固定されると、ボルト（１３０）、末端塊部（１２０）、及びホーン（１４０）は協働して、発泡体チューブ（２１００）を長手方向に圧縮でき、内径面（２１１６）を内向きに駆動してシャンク（１３１）と更に接触、及び／又は、外径面（２１１８）を外向きに駆動して内径面（１１６）と更に接触できる。このような形態の１つの単なる例示的な変化形態として、発泡体チューブ（２１００）は、長手方向圧縮に応じた一定の内向き／外向き偏向を促進する、アコーディオン様の外形を有してよい。このような形状は、必ずしも発泡体材料から形成される必要がないことも理解されたい。例えば、このような構成は、シート状金属及び／又はいくつかのその他の種類／形態の材料から形成されてよい。いくつかのその他の変化形態では、発泡体チューブ（２１００）は、細長いチューブとして構成されているというよりは、比較的短いワッシャ様に構成されている。
【００７５】
図５２〜５４は、別の単なる例示的な変化形態を示す。具体的には、図５２〜５４は、例示の代替的ホーン（２１４０）及び例示の代替的ナット（２１３０）と共に使用されている、発泡体チューブ（２１００）を示す。図５２で最も良くわかるように、ナット（２１３０）は、穴部（２１３２）を画定するテーパ状シャンク（２１３１）を含む。穴部（２１３２）の近位端（２１３６）はネジ付きである。シャンク（２１３１）の近位端はヘッド（２１３４）を含む。図５３で最も良くわかるように、ホーン（２１４０）は、ネジ付き近位端（２１４２）を有する、近位に延在するシャンク（２１４１）を含む。導波管（１５０）は、ホーン（２１４０）から遠位に延在している。ホーン（２１４０）のシャンク（２１４１）は、ナット（２１３０）の穴部（２１３２）に嵌合するような寸法である。穴部（２１３２）の近位端（２１３６）のネジ山は、シャンク（２１３１）の近位端（２１４２）のネジ山に合うように構成されている。この例のナット（２１３０）は導電材料から形成される。ホーン（２１４０）も導電材料から形成されてよい。
【００７６】
図５４に示されるように、発泡体チューブ（２１００）は、シャンク（２１３１）の外部と変換素子（１１０）の内径面（１１６）との間に嵌合する。組立中、発泡体チューブ（２１００）は、最初はシャンク（２１４１）の周りに配設されてよい。次に、シャンク（２１３１）を、シャンク（２１４１）と発泡体チューブ（２１００）の内径面（２１１６）との間の、シャンク（２１４１）の上部に挿入してよい。シャンク（２１３１）のテーパ形状は、発泡体チューブ（２１００）の外径面（２１１８）を変換素子（１１０）の内径面（１１６）に対して更に圧縮するのに役立つ。発泡体チューブ（２１００）が導電材料から形成されるため、これによって、発泡体チューブ（２１００）は、ナット（２１３０）と変換素子（１１０）の内径面（１１６）との間に電気的導通をもたらす。本明細書の教示を考慮することで、発泡体チューブ（２１００）の更に別の変化形態及び発泡体チューブと使用され得る構成要素が当業者に明らかになるであろう。
【００７７】
Ｇ．シリンダー状圧電変換素子の内径及び外径用の、例示の代替接触特徴部
図５５〜５６は、ボルト（１３０）及び変換素子（１１０）の内径面（１１６）に同時に接触するように構成されている、別の例示の電気接触部材（２２００）を示す。この例の接触部材（２２００）は、プレス加工された後にシリンダー形状に丸められ、シーム（２２１０）を呈する、シート状の金属を含む。接触部材（２２００）を形成する材料は、接触部材（２２００）がシリンダー形状に丸められた後、接触部材（２２００）が概ね平坦な形状に戻るように付勢され得るように、弾性的であってよい。いくつかの別の形態では、接触部材（２２００）は、シームレスチューブとして形成される。本明細書の教示を考慮することで、接触部材（２２００）の形成に使用できる様々な好適な材料及び方法が当業者に明らかとなるであろう。
【００７８】
この例の接触部材（２２００）は、複数の外向きに突出している特徴部（２２０２）と、複数の内向きに突出している特徴部（２２０４）と、を更に含む。外向きに突出している特徴部（２２０２）は凸形状を有し、一方、内向きに突出している特徴部（２２０４）は凹形状を有する。図５５〜５６に示される例では、特徴部（２２０２、２２０４）の位置は、接触部材（２２００）の長さ及び周囲に沿って交互である。当然のことながら、任意のその他好適な配置を使用してよい。例えば、いくつかの別の形態では、特徴部（２２０２、２２０４）の最遠位のバンドは、内向きに突出している特徴部（２２０４）のみからなり、特徴部（２２０２、２２０４）の中間部のバンドは、外向きに突出している特徴部（２２０２）のみからなり、特徴部（２２０２、２２０４）の最近位のバンドは、内向きに突出している特徴部（２２０４）のみからなる。本明細書の教示を考慮することで、他の好適な配置が、当業者に明らかになるであろう。
【００７９】
接触部材（２２００）は、ボルト（１３０）のシャンク（１３１）と変換素子の内径面（１１６）との間で、変換素子（１１０）の穴部（１１１）内に嵌合するように構成されている。丸められた形状の接触部材（２２００）によって、外向きに突出している特徴部（２２０２）は共に、穴部（１１１０）の内径より大きい有効外径を画定する。したがって、図５６に示されるように、接触部材（２２００）が穴部（１１１）に挿入されると、外向きに突出している特徴部（２２０２）は内径面（１１６）に接触する。いくつかの形態では、各外向きに突出している特徴部（２２０２）は、音響アセンブリ（１００）を通じて伝達される共振超音波振動に関連するノードに対応する位置において、内径面（１１６）に接触する。
【００８０】
加えて、接触部材（２２００）が丸められた形状にあるとき、内向きに突出している特徴部（２２０４）は共に、シャンク（１３１）の外径より小さい有効内径を画定する。したがって、図５６に示されるように、接触部材（２２００）がシャンク（１３１）の周りに配設されると、内向きに突出している特徴部（２２０４）はシャンク（１３１）に接触する。いくつかの形態では、外向きに突出している特徴部（２２０２）が内径面（１１６）を弾性的に押し、内向きに突出している特徴部（２２０４）がシャンク（１３１）を弾性的に押すように、特徴部（２２０２、２２０４）は弾性的に付勢されている。接触部材（２２００）が導電材料から形成されるため、図５６に示されるように組み立てられると、接触部材（２２００）は、ボルト（１３０）と変換素子（１１０）の内径面（１１６）との間に電気的導通をもたらす。本明細書の教示を考慮することで、接触部材（２２００）の他の変化形態が当業者に明らかになるであろう。
【００８１】
ＩＶ．シリンダー状圧電変換素子の外径用の、例示の代替的接触特徴部
前記例のうちいくつかは特に、ボルト（１３０）（又は、その変形）と変換素子（１１０）の内径面（１１６）との間に電気的導通を提供するために使用され得る構成要素及び特徴部に関し、いくつかのその他構成要素／特徴部は、ボルト（１３０）（又は、その変形）と発電機（１４）（又は、いくつかのその他電源）との間に電気的導通を更に提供する。上記の通り、変換素子（１１０）の外径面（１１８）は、変換素子（１１０）中に電圧を生じさせることによって、音響アセンブリ（１００）中で超音波振動を誘発するために、発電機（１４）（又は、いくつかのその他電源）と電気的導通して配置されることも必要である。以下に記載される例は、直接的に外径面（１１８）に、又は、外径面（１１８）に付着ないしは別の方法で適用されるいくつかの導電材料に接触し、それによって、外径面（１１８）と発電機（１４）（又は、いくつかのその他電源）との間に電気的導通をもたらすように構成されている、様々な特徴部を含む。以下に記載される例は、電気的連通を内径面（１１６）にもたらし得る方法に関して、本明細書の任意の教示と容易に組み合わせ得ることを理解されたい。以下の教示が適用され得るその他好適な器具構成が、当業者に明らかになるであろう。
【００８２】
一例にすぎないが、外径面（１１８）は、外径面（１１８）との電気的連通をもたらすために、以下に記載される任意の様々な特徴部と接触している、導電性コーティング又は挿入部材（例えば、ＢｅＣｕ、黄銅、その他別の銅合金など）を含んでよい。様々な下記電気接触特徴部のそれぞれが、音響アセンブリ（１００）を通じて伝達される共振超音波振動に関連するノードに対応する位置に、長手方向に配置され得る（又は、配置され接触する）ことも理解されたい。電気接触特徴部が、このようなノード位置に初期に位置付けられていない限りにおいて、一部のかかる電気接触特徴部は、音響アセンブリ（１００）が作動されている間の特定の時間後に、最終的にこのような位置に移動してもよい。換言すれば、音響アセンブリ（１００）を通じて伝達される振動は、最終的に電気接触特徴部をノード位置に駆動できる。
【００８３】
Ａ．例示の導電性カフ
図５７は、変換素子（１１０）の外径面（１１８）に配設される、例示のカフ（２３００）を示す。カフ（２３００）は導電材料から形成され、発電機（１４）又はいくつかのその他電源と連結しているブラシ、板バネ、又はその他導電性構成要素のための、構造的に安定した接点をもたらすように構成されている。具体的には、カフ（２３００）は、カフ（２３００）の構造的一体性を損なうことなく、カフ（２３００）と外部接点との間の電気的連通が可能な接触を損なうことなく、変換素子（１１０）が外部接点（例えば、ブラシ、板バネなど）に対して回転できるように、選択された硬さ及び／又は厚さを有する。一例にすぎないが、カフ（２３００）は、めっき、スクリーン印刷、又は積層法を用いて形成できる。本明細書の教示を考慮することで、カフ（２３００）の形成に使用できる様々な好適な材料及び方法が当業者に明らかとなるであろう。同様に、本明細書の教示を考慮することで、カフ（２３００）の機械的及び電気的係合に使用できる様々な種類の外部接点が当業者に明らかとなるであろう。
【００８４】
Ｂ．例示の巻いている導電性アセンブリ
図５８Ａ〜５９は、外径面（１１８）又は外径面（１１８）と既に接触しているいくつかの特徴部（例えば、カフ（２３００）など）との接触に使用され得る、例示の接触部材（２４００）を示す。この例の接触部材（２４００）は、遠位環状部材（２４０２と、近位環状部材（２４０４）と、環状部材（２４０４）間を長手方向に延在する複数のワイヤ（２４０６）と、を含む。この例では、環状部材（２４０２、２４０４）及びワイヤ（２４０６）は全て、導電材料から形成される。接触部材（２４００）は、一方の環状部材（２４０２、２４０４）を、別の環状部材（２４０２、２４０４）に対して、接触部材（２４００）の中心部を通って延在する長手方向軸線の周りを回転することによって、第１状態（図５８Ａに示される）と第２状態（図５８Ｂに示される）との間を移行するように構成されている。接触部材（２４００）が第２状態にあるとき、ワイヤ（２４０６）は、環状部材（２４０２、２４０４）に対して斜めに向けられる。図５８Ａに示されるように、接触部材（２４００）が第１状態にあるとき、ワイヤ（２４０６）は共に、第１有効外径（ｄ３）を画定する。図５８Ｂに示されるように、接触部材（２４００）が第２状態にあるとき、ワイヤ（２４０６）は共に、第２有効外径（ｄ４）を画定する。第２有効外径（ｄ４）は第１有効外径（ｄ３）より小さい。
【００８５】
この例では、第１有効外径（ｄ３）は、変換素子（１１０）の外径より大きい。したがって、接触部材（２４００）が第１状態にあるとき、接触部材（２４００）は、変換素子（１１０）の外径面（１１８）の周りに位置付けられてよい。接触部材（２４００）が外径面（１１８）の周りに適切に位置付けられると、一方の環状部材（２４０２、２４０４）を別の環状部材（２４０２、２４０４）に対して回転させ、接触部材（２４００）を第２状態に移行することができる。第２状態に移行している間、図５９に示されるように、ワイヤ（２４０６）は外径面（１１８）と接触する。次に、環状部材（２４０２、２４０４）の位置を固定できる（例えば、側板ハウジング（５２）などに固定する）。本明細書の教示を考慮して当業者に明らかであるように、環状部材（２４０２、２４０４）の一方又は両方は、任意の好適な構成要素及び配置を利用して、発電機（１４）（又は、いくつかのその他電源）と更に連結できる。接触部材（２４００）が導電性であるため、接触部材（２４００）は、ワイヤ（２４０６）を介して、外径面（１１８）と発電機（１４）（又は、いくつかのその他電源）との間に電気的導通をもたらす。
【００８６】
第２有効外径（ｄ４）は、各ワイヤ（２４０６）の長手方向中間点に相当する領域において画定されると理解されたい。接触部材（２４００）は、この接触領域が、音響アセンブリ（１００）を通じて伝達される共振超音波振動に関連するノードに対応する位置に位置付けられるように、変換素子（１１０）の周りに位置付けられてよい。いくつかの形態では、接触部材（２４００）が第２状態に到達すると、ワイヤ（２４０６）は、音響アセンブリ（１００）を通じて伝達される共振超音波振動に関連するノードに対応する位置において、外径面（１１８）との接点を更に局在化させる、内向きに突出している特徴部を有するように構成されている。音響アセンブリ（１００）がハンドルアセンブリ（２０）に対して導波管（１５０）によって画定される長手方向軸線の周りを回転可能であるいくつかの形態では、接触部材（２４００）は音響アセンブリ（１００）と共に回転する。音響アセンブリ（１００）がハンドルアセンブリ（２０）に対して導波管（１５０）によって画定される長手方向軸線の周りを回転可能であるいくつかの別の形態では、音響アセンブリ（１００）は、接触部材（２４００）に対して更に回転し、ハンドルアセンブリ（２０）に対して回転が固定されたままである。本明細書の教示を考慮することで、接触部材（２４００）の更に別の好適な変化形態が、当業者に明らかになるであろう。
【００８７】
Ｃ．環状導電性溝部を有する、例示のトランスデューサ
図６０は、例示の代替的変換素子（２５１０）を示す。この例の変換素子（２５１０）は、この例の変換素子（２５１０）が、環状凹部（２５６０）と、環状凹部（２５６０）から遠位及び近位に延在する電極指部（２５６２）のアレイと、を含むこと以外は、上記の変換素子（１１０）と同一である。変換素子（２５１０）は、本明細書に記載される任意の変換素子（１１０）に容易に代わり得ると理解されたい。環状凹部（２５６０）は、音響アセンブリ（１００）を通じて伝達される共振超音波振動に関連するノードに対応する変換素子（２５１０）の長さに沿った位置に、位置付けられる。いくつかの形態では、環状凹部（２５６０）は導電材料（例えば、ＢｅＣｕ、銀など）でスパッタコーティングされ、同じスパッタコーティングを使用して、電極指部（２５６２）を形成する。いくつかのこのような形態では、スパッタコーティングは、環状凹部（２５６０）において、指部（２５６２）におけるものより厚い。当然のことながら、スパッタコーティングは単なる例示的な例にすぎない。任意のその他好適な方法も使用できる。指部（２５６２）は、凹部（２５６０）から、外径面（２５１８）の長さに沿って電気的連通を分布するのに役立ち得る。この例の指部（２５６２）は長手方向に延在しているが、指部（２５６２）は、任意のその他好適な構成及び方向を有し得ることを理解されたい。指部（２５６２）は任意にすぎず、所望により指部（２５６２）を省略できることも理解されたい。
【００８８】
図６１〜６２は、凹部（２５６０）が球溝として機能するように、凹部（２５６０）に配設される、例示の組の導電性玉軸受（２６００）を示す。環状導電部材（２６５０）は、玉軸受（２６００）の周りに配設される。図６２に示されるように、導電部材（２６５０）は側板ハウジング（５２）にしっかりと固定され、玉軸受（２６００）を弾性的に内向きに押している。一例にすぎないが、導電部材（２６５０）は別々に形成された後、側板ハウジング（５２）に嵌め込まれ（ないしは別の方法で固定され）てよく、側板ハウジング（５２）の一体化特徴部として成形されてよく、側板ハウジング（５２）に位置付けられるフレックス回路の露出したトレースによって形成されてよく、ないしは別の方法で形成されてよい。導電部材（２６５０）は、任意の好適な構成要素を用いて、発電機（１４）（又は、いくつかのその他電源）と電気的に連結される。軸受（２６００）及び導電部材（２６５０）が導電性であるため、軸受（２６００）及び導電部材（２６５０）は協働して、外径面（２５１８）と発電機（１４）（又は、いくつかのその他電源）との間の電気的導通のための経路をもたらす。軸受（２６００）は、導波管（１５０）によって画定される長手方向軸線の周りのハンドルアセンブリ（２０）に対する、変換素子（２５６０）の（音響アセンブリ（１００）の別の構成要素と同時の）回転も容易にできることも理解されたい。発電機（１４）（又は、いくつかのその他電源）との電気的導通を依然として維持しながら、変換素子（２５６０）を回転できる。
【００８９】
図６３〜６４は、凹部（２５６０）内に配設される例示の連続コイルバネ（２７００）を示す。コイルバネ（２７００）は導電材料を含み、環状形状に形成される。コイルバネ（２７００）の有効内径は、変換素子（２５１０）の外径より小さい。いくつかの形態では、コイルバネ（２７００）は弾性的に付勢され、コイルバネ（２７００）が凹部（２５６０）内にぴったりと嵌合するように、凹部（２５６０）の外径より小さい有効内径を有する形状を取る。本明細書の教示を考慮することで、コイルバネ（２７００）の形成に使用できる様々な好適な材料及び方法が当業者に明らかとなるであろう。図６４に示されるように、導電部材（２６５０）はコイルバネ（２７００）の周りに配設される。上記の通り、導電部材（２６５０）は、任意の好適な構成要素を用いて、発電機（１４）（又は、いくつかのその他電源）と電気的に連結される。コイルバネ（２７００）及び導電部材（２６５０）が導電性であるため、コイルバネ（２７００）及び導電部材（２６５０）は協働して、外径面（１１８）と発電機（１４）（又は、いくつかのその他電源）との間の電気的導通のための経路をもたらす。コイルバネ（２７００）は、導波管（１５０）によって画定される長手方向軸線の周りのハンドルアセンブリ（２０）に対する、変換素子（２５６０）の（音響アセンブリ（１００）の別の構成要素と同時の）回転も可能にし得ることも理解されたい。発電機（１４）（又は、いくつかのその他電源）との電気的導通を依然として維持しながら、変換素子（２５６０）を回転できる。
【００９０】
図６５〜６６は、導電部材（２６５０）の代わりに使用できる、例示の球溝アセンブリ（２８００）を示す。球溝アセンブリ（２８００）は軸受（２６００）と組み合わされて図６６に示されているが、球溝アセンブリ（２８００）は、コイルバネ（２７００）又は凹部（２５６０）内に配設されるその他構造体と組み合わせてもよいことを理解されたい。球溝アセンブリ（２８００）は、第１部分（２８１０）と、第２部分（２８２０）と、を含む。各部分（２８１０、２８２０）は、それぞれの半円形凹部（２８１２、２８２２）を画定する。部分（２８１０、２８２０）は、互いに合わさって環状形状を画定するように構成されており、凹部（２８１２、２８２２）も互いに揃って環状形状を画定する。部分（２８１０、２８２０）が軸受（２６００）の周りに位置付けられた後、部分（２８１０、２８２０）は、側板ハウジング（５２）内に固定されるように構成されている。この形状では、軸受（２６００）は、凹部（２８１２、２８２２）と凹部（２５６０）との間に介在する。球溝アセンブリ（２８００）は、スナップ嵌め又は任意のその他好適な関係によって、側板ハウジング（５２）と連結できる。いくつかの場合では、球溝アセンブリ（２８００）は、１つ又は２つ以上の板バネを含み、球溝アセンブリ（２８００）を軸受（２６００）に対して弾性的に付勢する。
【００９１】
球溝アセンブリ（２８００）は導電性であり、任意の好適な構成要素を用いて、発電機（１４）（又は、いくつかのその他電源）と電気的に連結される。軸受（２６００）及び球溝アセンブリ（２８００）はこのように協働して、外径面（２５１８）と発電機（１４）（又は、いくつかのその他電源）との間の電気的導通のための経路をもたらす。本明細書の教示を考慮することで、球溝アセンブリ（２８００）の他の変化形態が当業者に明らかになるであろう。
【００９２】
Ｖ．その他
明細書に記載される器具のいずれの変形も、本明細書で上述されるものに加えて、又はそれらの代わりに、様々な他の特徴部を含んでもよいことを理解されたい。一例にすぎないが、本明細書で説明されたいずれの器械も、参照により本明細書に組み込まれる種々の参考文献のいずれかで開示された、種々の特徴部のうちの１つ又は複数を含むことができる。本明細書の教示は、本明細書の引用文献のいずれかの教示と多数の方法で容易に組み合わせ得るため、本明細書の教示は、本明細書の他の引用文献のいずれかに記載される器具のいずれにも容易に適用され得ることが理解されよう。本明細書の教示が組み込まれ得る他の種類の器具が、当業者には明らかであろう。
【００９３】
本明細書に参照により組み込まれると言及されたいかなる特許、刊行物、又は他の開示内容も、その全体又は一部において、組み込まれた内容が現行の定義、見解、又は本開示に記載された他の開示内容とあくまで矛盾しない範囲でのみ本明細書に組み込まれることが認識されるべきである。このように、また必要な範囲で、本明細書に明瞭に記載されている開示は、参照により本明細書に組み込まれる任意の矛盾する事物に取って代わるものとする。本明細書に参照により組み込むと称されているが現行の定義、記載、又は本明細書に記載されている他の開示物と矛盾するいずれの事物、又はそれらの部分は、組み込まれた事物と現行の開示事物との間に矛盾が生じない範囲でのみ組み込まれるものとする。
【００９４】
上述の装置の変形例は、医療専門家によって行われる従来の治療及び処置での用途だけでなく、ロボット支援された治療及び処置での用途も有し得る。一例にすぎないが、本明細書の様々な教示は、Ｉｎｔｕｉｔｉｖｅ  Ｓｕｒｇｉｃａｌ，Ｉｎｃ．（Ｓｕｎｎｙｖａｌｅ，Ｃａｌｉｆｏｒｎｉａ）によるＤＡＶＩＮＣＩ（商標）システムなどのロボットによる外科用システムに容易に組み込まれ得る。同様に、当業者には明らかとなることであるが、本明細書の様々な教示は、その開示内容が参照により本明細書に組み込まれる２００４年８月３１日公開の米国特許第６，７８３，５２４号、名称「Ｒｏｂｏｔｉｃ  Ｓｕｒｇｉｃａｌ  Ｔｏｏｌ  ｗｉｔｈ  Ｕｌｔｒａｓｏｕｎｄ  Ｃａｕｔｅｒｉｚｉｎｇ  ａｎｄ  Ｃｕｔｔｉｎｇ  Ｉｎｓｔｒｕｍｅｎｔ」の様々な教示と容易に組み合わされ得る。
【００９５】
上述の変形形態は、１回の使用後に処分されるように設計されてもよく、あるいは、それらは、複数回使用されるように設計されることもできる。一方の場合、又は両方の場合で、各形態は、少なくとも１回の使用後に再利用のために再調整を行うことができる。かかる再調整には、装置の分解工程、それに続く特定の部品の洗浄又は交換工程、並びにその後の再組み立て工程の任意の組み合わせが含まれ得る。特に、装置の特定の形態は分解することができ、また、装置の任意の数の特定の部材又は部品を、任意の組み合わせで選択的に交換するか取り外してもよい。特定の部品の洗浄及び／又は交換に際して、装置の特定の形態を、再調整用の施設において、又は手術の直前に使用者により再組み立てしてその後の使用に供することができる。当業者であれば、装置の再調整において、分解、洗浄／交換、及び再組み立てのための様々な技術を使用できる点は認識するであろう。かかる技術の使用、及びその結果として得られる再調整された装置は、全て本出願の範囲内にある。
【００９６】
一例にすぎないが、本明細書に記載される各形態は、手術の前及び／又は後で滅菌されてもよい。１つの滅菌法では、装置をプラスチック製又はＴＹＶＥＫ製のバックなどの閉鎖かつ密封された容器に入れる。次いで、容器及び装置を、γ線、Ｘ線、又は高エネルギー電子線などの、容器を透過する放射線場に置くことができる。かかる放射線は、装置の表面及び容器内の細菌を死滅させることができる。この後、滅菌された装置を、後の使用のために、滅菌容器中で保管することができる。装置はまた、これらに限定されるものではないが、β線若しくはγ線、エチレンオキシド、又は水蒸気を含む、当該技術分野では周知の他の任意の技術を使用して滅菌することもできる。
【００９７】
以上、本発明の様々な実施形態を図示及び説明したが、本発明の範囲から逸脱することなく、当業者による適切な改変により、本明細書に記載される方法及びシステムの更なる適合化を実現することができる。そのような可能な改変のいくつかについて述べたが、その他の改変も当業者には明らかであろう。例えば、上記で検討した例、実施形態、幾何形状、材料、寸法、比率、工程などは例示的なものであって必須のものではない。したがって、本発明の範囲は以下の特許請求の範囲の観点から考慮されるべきものであり、本明細書及び図面において図示、説明した構造及び動作の細部に限定されないものとして理解される。
【００９８】
〔実施の態様〕
（１）  組織を手術するための装置であって、前記装置が、
（ａ）本体と、
（ｂ）前記本体から遠位に延在するシャフトアセンブリと、
（ｃ）前記シャフトアセンブリの遠位端に配設されている超音波ブレードと、
（ｄ）音響アセンブリであって、
（ｉ）前記ブレードと連結される音響導波管と、
（ｉｉ）圧電変換素子であって、内径面及び外径面を画定する、圧電変換素子と、
（ｉｉｉ）前記圧電変換素子を、前記音響導波管に対して固定するように構成されている、締結具と、
（ｉｖ）前記締結具と前記圧電変換素子の前記内径面との間に電気的導通をもたらすように構成されている、連結部材と、を含む、音響アセンブリと、を含む、装置。
（２）  前記圧電変換素子が、細長いシリンダー形状を有する、実施態様１に記載の装置。
（３）  前記圧電変換素子の前記内径面の少なくとも一部が、導電性コーティングを含む、実施態様１に記載の装置。
（４）  前記締結具に固定されているキャップを更に含み、前記キャップが電源と電気的に連通しており、前記キャップが、前記締結具と前記電源との間の電気的導通をもたらすように構成されている、実施態様１に記載の装置。
（５）  前記締結具が、前記キャップに対して回転可能である、実施態様４に記載の装置。
【００９９】
（６）  前記連結部材が弾性的に付勢されて前記圧電変換素子の前記内径面を押している、実施態様１に記載の装置。
（７）  前記連結部材が、第１アームセットと、第２アームセットと、を含み、前記第１アームセットが、前記圧電変換素子の前記内径面を弾性的に押し、前記第２アームセットが、前記締結具を弾性的に押している、実施態様６に記載の装置。
（８）  前記連結部材が、ハブ部材と、前記ハブ部材から延在するアームセットと、を含み、前記ハブ部材が前記締結具に固定されており、アームが弾性的に外向きに付勢されて前記圧電変換素子の前記内径面を押している、実施態様６に記載の装置。
（９）  前記アームが、それぞれのリビングヒンジにおいて前記ハブ部材から近位に延在している、実施態様８に記載の装置。
（１０）  前記アームが弾性的に付勢されて平坦な形状を取り、このとき前記アームが、前記ハブ部材と同じ面に沿って延在している、実施態様８に記載の装置。
【０１００】
（１１）  前記連結部材が、前記圧電変換素子の前記内径面に逆らって広がるように弾性的に付勢されている、丸められたシートを含む、実施態様６に記載の装置。
（１２）  前記連結部材がコイルバネを含む、実施態様６に記載の装置。
（１３）  前記コイルバネが、前記圧電変換素子によって画定される長手方向軸線に沿って延在し、前記圧電変換素子によって画定される前記長手方向軸線に沿って延在可能である、実施態様１２に記載の装置。
（１４）  前記コイルバネが、前記圧電変換素子によって画定される前記長手方向軸線の周りに環状のトロイダル形状を画定するように、前記コイルバネは、前記圧電変換素子によって画定される前記長手方向軸線の周りに延在している、実施態様１３に記載の装置。
（１５）  前記締結具が、前記連結部材を変形させて、前記圧電変換素子の前記内径面と係合させるように動作可能である、実施態様１に記載の装置。
【０１０１】
（１６）  前記連結部材が、前記締結具によって前記連結部材にかけられる長手方向圧縮に応じて、外向きに座屈するように構成されている座屈特徴部を含む、実施態様１５に記載の装置。
（１７）  前記連結部材が、前記締結具と前記圧電変換素子の前記内径面との間に画定される間隙を充填する充填材料を含む、実施態様１に記載の装置。
（１８）  前記締結具がボルトを含む、実施態様１に記載の装置。
（１９）  組織を手術するための装置であって、前記装置が、
（ａ）本体と、
（ｂ）前記本体から遠位に延在するシャフトアセンブリと、
（ｃ）前記シャフトアセンブリの遠位端に配設されている超音波ブレードと、
（ｄ）音響アセンブリであって、
（ｉ）前記ブレードと連結される音響導波管と、
（ｉｉ）圧電変換素子であって、内径面及び外径面を画定する、圧電変換素子と、
（ｉｉｉ）前記圧電変換素子を、前記音響導波管に対して固定するように構成されている、締結具と、
（ｉｖ）前記締結具と前記圧電変換素子の前記内径面との間に電気的導通をもたらすように構成されている、連結部材と、を含み、前記締結具が、前記連結部材を変形させることによって、前記連結部材の一部を外向きに駆動して、前記圧電変換素子の前記内径面と係合させるように構成されている、音響アセンブリと、を含む、装置。
（２０）  組織を手術するための装置であって、前記装置が、
（ａ）本体と、
（ｂ）前記本体から遠位に延在するシャフトアセンブリと、
（ｃ）前記シャフトアセンブリの遠位端に配設されている超音波ブレードと、
（ｄ）音響アセンブリであって、
（ｉ）前記ブレードと連結される音響導波管と、
（ｉｉ）圧電変換素子であって、前記圧電変換素子が内径面及び外径面を画定し、前記外径面が前記外径面に形成された環状凹部を含む、圧電変換素子と、
（ｉｉｉ）前記圧電変換素子を、前記音響導波管に対して固定するように構成されている、締結具と、
（ｉｖ）前記圧電変換素子が前記本体に対して回転するのを可能にしながら、前記圧電変換素子の前記環状凹部と電源との間に電気的導通をもたらすように構成されている、連結部材と、を含む、音響アセンブリと、を含む、装置。
【図１】
0006483093.tif 000002
【図２】
0006483093.tif 000003
【図３】
0006483093.tif 000004
【図４】
0006483093.tif 000005
【図５】
0006483093.tif 000006
【図６】
0006483093.tif 000007
【図７】
0006483093.tif 000008
【図８】
0006483093.tif 000009
【図９】
0006483093.tif 000010
【図１０】
0006483093.tif 000011
【図１１】
0006483093.tif 000012
【図１２】
0006483093.tif 000013
【図１３】
0006483093.tif 000014
【図１４】
0006483093.tif 000015
【図１５】
0006483093.tif 000016
【図１６】
0006483093.tif 000017
【図１７】
0006483093.tif 000018
【図１８】
0006483093.tif 000019
【図１９】
0006483093.tif 000020
【図２０】
0006483093.tif 000021
【図２１】
0006483093.tif 000022
【図２２】
0006483093.tif 000023
【図２３】
0006483093.tif 000024
【図２４】
0006483093.tif 000025
【図２５】
0006483093.tif 000026
【図２６】
0006483093.tif 000027
【図２７】
0006483093.tif 000028
【図２８】
0006483093.tif 000029
【図２９】
0006483093.tif 000030
【図３０】
0006483093.tif 000031
【図３１】
0006483093.tif 000032
【図３２】
0006483093.tif 000033
【図３３】
0006483093.tif 000034
【図３４】
0006483093.tif 000035
【図３５Ａ】
0006483093.tif 000036
【図３５Ｂ】
0006483093.tif 000037
【図３６】
0006483093.tif 000038
【図３７】
0006483093.tif 000039
【図３８】
0006483093.tif 000040
【図３９】
0006483093.tif 000041
【図４０】
0006483093.tif 000042
【図４１】
0006483093.tif 000043
【図４２Ａ】
0006483093.tif 000044
【図４２Ｂ】
0006483093.tif 000045
【図４３】
0006483093.tif 000046
【図４４】
0006483093.tif 000047
【図４５】
0006483093.tif 000048
【図４６】
0006483093.tif 000049
【図４７】
0006483093.tif 000050
【図４８】
0006483093.tif 000051
【図４９】
0006483093.tif 000052
【図５０】
0006483093.tif 000053
【図５１】
0006483093.tif 000054
【図５２】
0006483093.tif 000055
【図５３】
0006483093.tif 000056
【図５４】
0006483093.tif 000057
【図５５】
0006483093.tif 000058
【図５６】
0006483093.tif 000059
【図５７】
0006483093.tif 000060
【図５８Ａ】
0006483093.tif 000061
【図５８Ｂ】
0006483093.tif 000062
【図５９】
0006483093.tif 000063
【図６０】
0006483093.tif 000064
【図６１】
0006483093.tif 000065
【図６２】
0006483093.tif 000066
【図６３】
0006483093.tif 000067
【図６４】
0006483093.tif 000068
【図６５】
0006483093.tif 000069
【図６６】
0006483093.tif 000070